(57)【要約】      （修正有）【課題】現場工期の縮小・効率化、狭小地対応、実寸大での細部検討などの特長を有する、プレフォーム工法を提供する。【解決手段】一定厚を有する鋼板の一面側に、四周の端部に縦方向／横方向枠材を取り付け、四周内に縦桟を取り付けて四周が形成される短冊状区画を複数含むように形成し、複数の短冊状区画のそれぞれに必要に応じて単数もしくは複数の横桟を取り付けることで短冊状区画を単数もしくは複数の短冊内分割区画で構成されるようにし、支保材組込型枠構造体を形成する第１のステップと、支保材組込型枠構造体の内の特定の短冊状区画もしくはその一部を脱着可能支保材組込型枠構造体として形成する第２のステップと、第１の支保材組込型枠構造体もしくは第２の支保材組込型枠構造体の一面側と対向する他面側において鉄筋を型枠体と組付け、セパレータ穴を型枠体に穿設することで配筋組付済支保材組込型枠構造体を形成する第３のステップとを具備する。【選択図】図１
2022000564.tif 000002
【特許請求の範囲】
【請求項１】
一定厚を有する鋼板の一面側の四周に金属製中空棒状材からなる縦方向枠材及び横方向枠材を取り付け前記四周内の縦方向に略内接するように金属製中空棒状材からなる縦桟材を複数互いに離隔するように略並行に取り付けて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成し、前記複数の短冊状区画のそれぞれの横方向に略内接するように金属製中空棒状材からなる横桟材を必要に応じて単数もしくは複数取り付けることで、四周の端部に配設された前記金属製中空棒状材と前記鋼板とが略一体化された支保材組込型枠構造体を形成する短冊内分割区画が単数もしくは複数構成されるようにする第１のステップと、
第１の前記支保材組込型枠構造体の内の特定の前記短冊状区画もしくは特定の短冊内分割区画を脱着可能支保材組込型枠構造体として形成する第２のステップと、
前記第１の支保材組込型枠構造体もしくは第２の前記支保材組込型枠構造体の前記一面側と対向する他面側において鉄筋を配筋し該型枠体と組付けることで配筋組付済支保材組込型枠構造体を形成する第３のステップと
を具備することを特徴とする鉄筋コンクリート構造物のコンクリート打設前段階工事の施工方法。
【請求項２】
施工現場に搬入された複数の前記配筋組付済支保材組込型枠構造体及び／もしくは複数の前記支保材組込型枠構造体をプランに沿って鉄筋コンクリート壁を形成する為の内側壁型枠及び／もしくは外側壁型枠として設置する第４のステップと、
前記設置された第１の前記配筋組付済支保材組込型枠構造体について、前記脱着可能支保材組込型枠構造体を外して得られる開口から、前記第１の前記配筋組付済支保材組込型枠構造体に係る前記配筋された鉄筋と、前記第１の配筋組付済支保材組込型枠構造体と隣接して設置される第２の前記配筋組付済支保材組込型枠構造体に係る前記配筋された鉄筋との間で結束もしくは定着を行い、然る後に前記脱着可能支保材組込型枠構造体を前記開口に再び装着する第５のステップと、
前記設置された内側壁型枠及び外側壁型枠について互いに連接する前記支保材組込型枠構造体同士を結合することでコンクリート打設前仮設構造体を形成するステップであって、前記コンクリート打設前仮設構造体は前記支保材組込型枠構造体同士が角度をもって突合されることで形成される略Ｌ字状隅角部を有する、第６のステップと
をさらに具備することを特徴とする請求項１記載の鉄筋コンクリート構造物のコンクリート打設前段階工事の施工方法。
【請求項３】
前記金属製中空棒状材は角型鋼管であることを特徴とする請求項１もしくは２記載の鉄筋コンクリート構造物のコンクリート打設前段階工事の施工方法。
【請求項４】
前記脱着可能支保材組込型枠構造体を前記開口に再び装着する、もしくは前記互いに連接する前記支保材組込型枠構造体同士を結合するについては、互いに隣接する前記金属製中空棒状材について該金属製中空棒状材の側面に穿設された孔に結合具を貫通させて装着もしくは結合することを特徴とする、請求項１〜３のうち１項記載の鉄筋コンクリート構造物のコンクリート打設前段階工事の施工方法。
【請求項５】
前記縦方向枠材もしくは前記横方向枠材の正面から螺子機構を有するセパレータを挿通可能なセパレータ穴を複数穿設するセパレータ孔穿設ステップと、
前記支保材組込型枠構造体にセパレータを配設するステップであって、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設ししかる後に前記螺子機構にて前記縦方向枠材もしくは前記横方向枠材に前記セパレータが固定される、セパレータ配設ステップと
をさらに具備することを特徴とする請求項１〜４のうちいずれか１項記載の鉄筋コンクリート構造物のコンクリート打設前段階工事の施工方法。
【請求項６】
前記鋼板及び前記縦桟並びに前記横桟による剛性、前記支保材組込型枠構造体の持つ壁体の付いたラーメン構造としての性質、隣接する前記支保材組込型枠構造体同士が連結される前記結合具の剪断力、前記コンクリート打設前仮設構造体の持つ壁体の付いたラーメン構造としての性質、前記略Ｌ字状隅角部が持つ立体的剛性、の組合せによって、コンクリート打設時の側圧に対抗できるように構成されることを特徴とする請求項２記載の鉄筋コンクリート構造物のコンクリート打設前段階工事の施工方法。
【請求項７】
前記内側壁型枠及び／もしくは前記外側壁型枠として設置された複数の前記配筋組付済支保材組込型枠構造体及び／もしくは複数の前記支保材組込型枠構造体の一部はコンクリート打設の後も該コンクリート中に埋め込まれることを特徴とする請求項２記載の鉄筋コンクリート構造物のコンクリート打設前段階工事の施工方法。
【請求項８】
前記内側壁型枠及び／もしくは前記外側壁型枠として設置された複数の前記配筋組付済支保材組込型枠構造体及び／もしくは複数の前記支保材組込型枠構造体の一部に対して外壁仕上げ材を取り付けるステップをさらに具備することを特徴とする請求項１〜７のうち１項記載の鉄筋コンクリート構造物のコンクリート打設前段階工事の施工方法。
【請求項９】
前記脱着可能支保材組込型枠構造体は、該脱着可能支保材組込型枠構造体を構成する前記鋼板が前記脱着可能支保材組込型枠構造体を形成しない前記鋼板から別体とされ、前記特定の前記短冊状区画もしくは前記特定の短冊内分割区画を構成する前記枠内四周の第１の前記金属製中空棒状材の内側に別の第２の金属製中空棒状材が略内接して内側四周が形成され、互いに隣接する前記第１の金属製中空棒状材と前記第２の金属製中空棒状材とが複数個所結合具にて緊結される構造を有することを特徴とする請求項１〜８のうちいずれか１項記載の鉄筋コンクリート構造物のコンクリート打設前段階工事の施工方法。
【請求項１０】
前記配筋組付済支保材組込型枠構造体及び／もしくは前記支保材組込型枠構造体をスラブ型枠として形成する床板第１のステップと、
第１の前記スラブ型枠と前記第１のスラブ型枠に隣接する第２の前記スラブ型枠とを連接し、前記スラブ型枠のうち前記内側壁型枠及び／もしくは前記外側壁型枠と係合する箇所について前記スラブ型枠と前記内側壁型枠及び／もしくは前記外側壁型枠及び／もしくは前記略Ｌ字状隅角部とを連結して全体ラーメン仮設構造体を形成する床板第２のステップと、
前記スラブ型枠に配設される鉄筋と前記内側壁型枠及び／もしくは前記外側壁型枠に配設される鉄筋との間で定着もしくは連接をとる床板第３のステップと
をさらに具備することを特徴とする請求項２〜９のうちいずれか１項記載の鉄筋コンクリート構造物のコンクリート打設前段階工事の施工方法。
【請求項１１】
前記スラブ型枠に連接され複数段を構成する鋼板を有する階段型枠を形成する階段第１のステップと、
前記階段型枠と前記スラブ型枠とを連結し、必要に応じて前記階段型枠と前記内側壁型枠及び／もしくは前記外側壁型枠及び／もしくは前記略Ｌ字状隅角部とを連結する階段第２のステップと、
前記階段型枠の上側に鉄筋を配筋し、前記内側壁型枠及び／もしくは前記外側壁型枠及び／もしくは前記略Ｌ字状隅角部及び／もしくは前記スラブ型枠に配設される鉄筋との間で定着もしくは連接をとる階段第３のステップと
をさらに具備することを特徴とする請求項１０記載の鉄筋コンクリート構造物のコンクリート打設前段階工事の施工方法。
【請求項１２】
前記縦方向枠材、横方向枠材、前記縦桟材、前記横桟材のうち少なくともいずれかは前記鋼板の前記一面に溶接されて取り付けられることを特徴とする請求項１〜１１のうちいずれか１項記載の鉄筋コンクリート構造物のコンクリート打設前段階工事の施工方法。
【請求項１３】
前記鉄筋と前記セパレータとが仮結合され、及び／もしくは、前記鉄筋と前記セパレータとが互いに溶接され、或いは第１の前記セパレータと第２の前記セパレータとが互いを介在する部材に溶接されることを特徴とする請求項５記載の鉄筋コンクリート構造物のコンクリート打設前段階工事の施工方法。
【請求項１４】
請求項１〜１３のうちいずれか１項記載の鉄筋コンクリート構造物のコンクリート打設前段階工事の施工方法によって得られた前記コンクリート打設前仮設構造体に対して、コンクリートを打設するステップをさらに有することを特徴とする鉄筋コンクリート構造物の施工方法。
【請求項１５】
一定厚を有する鋼板の一面側に、四周の端部に金属製中空棒状材からなる縦方向枠材及び横方向枠材を有し、前記四周内の縦方向に略内接するように金属製中空棒状材からなる縦桟材が複数互いに離隔するように略並行に取り付けられて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成され、前記複数の短冊状区画のそれぞれの横方向に略内接するように金属製中空棒状材からなる横桟材が必要に応じて単数もしくは複数取り付けられることで単数もしくは複数の短冊内分割区画が構成され、前記短冊内分割区画の四周の端部に配設された前記金属製中空棒状材と前記鋼板とが略一体化された支保材組込型枠構造体と、
第１の前記支保材組込型枠構造体の内の特定の前記短冊状区画もしくはその一部が有する脱着可能支保材組込型枠構造体と
を具備することを特徴とする鉄筋コンクリート打設用型枠。
【請求項１６】
前記鋼板及び前記縦桟並びに前記横桟による剛性、前記支保材組込型枠構造体の持つ壁体の付いたラーメン構造もしくは実質的箱型剛構造としての性質、のうちの少なくともいずれかがコンクリート打設時の側圧の一部に対抗できるように構成されることを特徴とする請求項１５記載の鉄筋コンクリート打設用型枠。
【請求項１７】
前記金属製中空棒状材は角型鋼管であることを特徴とする請求項１５もしくは１６記載の鉄筋コンクリート打設用型枠。
【請求項１８】
前記縦方向枠材もしくは前記横方向枠材の正面にセパレータを挿通可能なセパレータ穴が複数穿設され、
前記セパレータは螺子機構付セパレータであり、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設された後では前記螺子機構にて前記縦方向枠材もしくは前記横方向枠材に前記セパレータが固定されることが可能であることを特徴とする請求項１５〜１７のうちいずれか１項記載の鉄筋コンクリート打設用型枠。
【請求項１９】
前記脱着可能支保材組込型枠構造体は、前記特定の前記短冊状区画を構成する前記枠内四周の第１の前記金属製中空棒状材の内側に略内接して取り付けられる第２の金属製中空棒状材を備え、互いに隣接する前記第１の金属製中空棒状材と前記第２の金属製中空棒状材とが複数個所緊結具にて緊結される構造を有することを特徴とする請求項１５〜１８のうちいずれか１項記載の鉄筋コンクリート打設用型枠。
【発明の詳細な説明】
【技術分野】
【０００１】
本発明はたとえば鉄筋コンクリート構造物のコンクリート打設前段階工事の施工方法、鉄筋コンクリート構造物の施工方法、並びに鉄筋コンクリート打設用型枠に関する。
【背景技術】
【０００２】
オフィスビル、マンション、住宅等の各種用途に用いられる鉄筋コンクリート構造の建築物を施工するにあたり、これまでは、場所打ちコンクリートとして現場で鉄筋及び型枠を組立ててコンクリートを打設することが一般的であった。しかし、今後、建設業に従事する技術者が減少することが予想されている状況においては、専門技術を有する熟練技術者を長期にわたって拘束することが困難になることが予想される。また、建設現場では、建設工事の生産性の向上が求められるのが常態化している。
【０００３】
すなわち、鉄筋コンクリート構造物の建築においては、たとえば建設現場で鉄筋コンクリート造の壁を構築する場合、２枚の型枠が配置されるべき位置にて囲まれる範囲に鉄筋を配筋した後、一般的には、本製合板のパネル（コンパネ）を当該位置に２枚向かい合わせて配しその間隔をセパレータによって一定に保つことで型枠を構成し、支保工工事（仮設）を行って当該間隔を仮固定するのみならずコンクリート打設時の側圧にも十分耐えられるように手当てした後にコンクリートを打設することが一般的である。
【０００４】
しかしながら、このような一般的な方法では、支保工がコンクリート打設時の側圧・重量等を支えることができねばならないことからかなりの狭小間隔で支保工に係る材料たとえばサポート等を設置しなければならず、現場は足の踏み場もないほど錯綜した状況と化する。さらには、コンクリートの硬化及び養生期間の経過後にこの型枠として用いたパネルやそれを支えていた支保工に係る材料等を撤去する必要がある。このため、当該撤去作業に膨大な人員の手当てが必要となるばかりか、養生期間中は錯綜した環境、撤去時には資材等が入り乱れたさらに錯綜した状況となる。現場での作業が繁雑になるときには、安全性の確保が難しくなる。さらに、これに伴って工事期間（工期）が長くなってしまうものであった。
【０００５】
そこで、型枠材としてコンクリート製パネルすなわちプレキャストコンクリート（ＰＣ）板を用い、コンクリートの打設・硬化後にパネル等を撤去せず、そのまま残置(存置)してコンクリート構造物の外壁等と一体化するようにした埋設型枠が提案されている。すなわち、コンクリート製パネル(プレキャストコンクリート板)は、予め工場等のバックヤードで鉄筋コンクリート板を生成しこれを型枠として用いるものである。この埋設型枠は、工場等で予め製作されることから、現場での作業時間の短縮や省人化等による生産性向上が図られると共に、建築施工現場での作業を容易に行えて、工期が短縮させることができる。さらに、木製パネルを用いないため、環境保護の観点からも望ましいものといえる(たとえば、特許文献１乃至４を参照)。
【先行技術文献】
【特許文献】
【０００６】
【特許文献１】特公昭４９−３０９２７号公報
【特許文献２】特開昭５７−１７４５４０号公報
【特許文献３】実開平６−１５２３号公報
【発明の概要】
【発明が解決しようとする課題】
【０００７】
ところが、埋設型枠として使用するＰＣ板パネルは、強度の観点から相応の厚さで製作する必要があることから、必然的に相当の重量を有するものとなる。このため、ＰＣ板パネルはそれ自体、施工現場への搬入が容易ではない。つまり、人間だけの力では扱うことが不可能であることから、搬出・搬入・楊重等にあたっては、クレーン等の揚重機による必要がある。となると、（反力のためのアウトリガー設置場所を含む）クレーンの設置場所の確保が必要になる。また、ＰＣ板パネルを施工現場に首尾よく搬入したとしても、組み立て／据え付けのためには別途クレーン等の揚重機を用いなければならず、畢竟、埋設型枠の運搬や設置等に多くの場所的占有、労力、時間、及びコストを有するものであった。
【０００８】
一方、住宅密集地では、火災が発生した場合に大規模な災害に発展するおそれがある点に鑑みて、木造住宅から耐火性の高いコンクリート構造物へ変更することが火災予防の点からは望ましいが、道幅の狭い住宅密集地においてはクレーンの設置が難しく、ＰＣ板埋設型枠の運搬や設置ができない場所／場合もある。
【０００９】
他方、狭小住宅用地に建設する賃貸もしくは分譲住宅の需要の増加に伴い、工期の長期化を回避するための対応や、狭小地・狭隘道路であっても建築可能になるような対応が求められている。
【００１０】
本発明は、上記のような問題点を解決すべく企図されたものであり、現場工期の縮小・効率化、狭小地にも最大限に建てることができ、その工事にあてって錯綜した現場を回避できる、鉄筋コンクリート構造物のコンクリート打設前段階工事の施工方法、鉄筋コンクリート構造物の施工方法、並びに鉄筋コンクリート打設用型枠を提供することを目的とする。
【課題を解決するための手段】
【００１１】
本発明者は、現場工期の縮小・効率化、狭小地にも最大限に建てることができることを可能にすべく、実寸大での細部の検討など経たうえで、最終的に、鋼製型枠を工場で製作し、現場に搬入するプレフォーム工法を提供することを着想するに至った。より詳細には、鋼製の型枠パネルユニットを予め工場で製作し、建築施工現場に搬入することで、道幅の狭い住宅密集地でも利用が可能となるばかりか、取り扱いがしやすく、且つ、内外壁面・天面・床面・擁壁等を少ない職人で容易且つ迅速に組み立てることができること、に着眼した。これらはつまり、現場作業を減らすことに繋がるから、現場作業員の必要数の削減を果たすのみならず、作業員が占める物理的場所を低減することにもなる。その際に、支保工／支保梁がなくても／或いは実質的になくても済むこと、さらには、施工現場において埋設型枠同士を跨ぐように後から鉄筋の配筋を可能にすること、工期をさらに短縮できるようにすること、をそれぞれ実現するための方法を具体的解決手段として着想した。
【００１２】
そこで、上述した課題を解決するために、本発明の第１の態様に係る鉄筋コンクリート構造物のコンクリート打設前段階工事の施工方法は、一定厚を有する鋼板の一面側の四周に金属製中空棒状材からなる縦方向枠材及び横方向枠材を取り付け前記四周内の縦方向に略内接するように金属製中空棒状材からなる縦桟材を複数互いに離隔するように略並行に取り付けて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成し、前記複数の短冊状区画のそれぞれの横方向に略内接するように金属製中空棒状材からなる横桟材を必要に応じて単数もしくは複数取り付けることで、四周の端部に配設された前記金属製中空棒状材と前記鋼板とが略一体化された支保材組込型枠構造体を形成する短冊内分割区画が単数もしくは複数構成されるようにする第１のステップと、第１の前記支保材組込型枠構造体の内の特定の前記短冊状区画もしくは特定の短冊内分割区画を脱着可能支保材組込型枠構造体として形成する第２のステップと、前記第１の支保材組込型枠構造体もしくは第２の前記支保材組込型枠構造体の前記一面側と対向する他面側において鉄筋を配筋し該型枠体と組付けることで配筋組付済支保材組込型枠構造体を形成する第３のステップとを具備する。
【００１３】
上記態様によれば、一定の厚を有する鋼製プレートの外面に一定の厚さ・太さ・（剛性をもった）形状を備えた金属製中空棒状材にて構造力学的に必要な程度の一定ピッチもしくは不定ピッチで縦桟及び／もしくは横桟を四周に備えた支保材組込型枠構造体を型枠として使用するので、配筋作業を含む相当の作業工程までたとえば工場もしくはバックヤードにて先行施工をすることができる。これに加えて、支保材組込型枠構造体が一つの短冊状区画に複数形成され、それぞれの支保材組込型枠構造体がそれ自体でコンクリート打設時の側圧に略抗する剛性を有しているので、現場搬入後コンクリート打設前に、支保工を、木造型枠の場合に比して大幅に減縮する、場合によっては消滅せしめることができる。すなわち、壁面からの側圧は大部分を支保材組込型枠構造体自体で抗することができ、これによって、鉄筋コンクリート打設時／後の側圧に対向する壁型枠支保工に係る仮設工事を略省くことができる。この場合、「支保材組込型枠構造体」とは、従来の型枠を構成する平面体に従来の壁型枠支保工を構成する一部もしくは全部を組み込んで一体化したものであり、たとえば一定厚を有する鋼製プレートの一方側の面に金属製棒状材を四周及び必要なピッチで桟状／井桁状に配設することで各分割区画でみれば四周を金属製中空棒状材による枠構造で緊結されたものにプレート材が張り付いた構造によって実現される。ここで、「金属製中空棒状材」としたのは、一定の剛性を確保するためである。「金属製中空棒状材」は、楊重性を確保して軽量化を図るために中空としたものである。また、ここで、「脱着可能支保材組込型枠構造体」とは、支保材組込型枠構造体の一部たとえば１短冊スパンに係る部分を、取り外しもしくは装着し直しすることを可能な構造にしたものをいう。このように１スパン分を取り外し／復旧可能とすることで、現場に組付けられた後、鉄筋の定着をとる作業をする前に当該１スパン分を取り外し、当該定着作業が完了したときに当該１スパン分を復旧させることが容易に行えるので、現場作業に利便性を提供することができる。
【００１４】
上記の鉄筋コンクリート打設時／後の側圧に対向する壁型枠支保工に係る仮設工事を省くことができる、との効果は単にコスト低減というにとどまらない。すなわち、支保工が存在しないということは、サポート材、パイプ（角パイプ、丸パイプを含む）材、桟木材、根太材等の仮設材が従来物理的に場所を占有していたというプロセス自体がなくなることを意味するから、そのための空間・時間を低減／削減することができることとなり、その分現場作業員の作業の支障が減少し／或いは当該作業自体が消滅し、安全確保性及び作業性が向上する。さらに、これら仮設材の緊結／連結等に使用する釘、番線、ホームタイ（登録商標）等の仮設材が不要となるので、そのためのコストの削減が果たさせるだけでなく、現場の整頓された環境を実現することにもつながる。
【００１５】
上述した課題を解決するために、本発明の第２の態様に係る鉄筋コンクリート構造物のコンクリート打設前段階工事の施工方法は、第１の態様において、施工現場に搬入された複数の前記配筋組付済支保材組込型枠構造体及び／もしくは複数の前記支保材組込型枠構造体をプランに沿って鉄筋コンクリート壁を形成する為の内側壁型枠及び／もしくは外側壁型枠として設置する第４のステップと、前記設置された第１の前記配筋組付済支保材組込型枠構造体について、前記脱着可能支保材組込型枠構造体を外して得られる開口から、前記第１の前記配筋組付済支保材組込型枠構造体に係る前記配筋された鉄筋と、前記第１の配筋組付済支保材組込型枠構造体と隣接して設置される第２の前記配筋組付済支保材組込型枠構造体に係る前記配筋された鉄筋との間で結束もしくは定着を行い、然る後に前記脱着可能支保材組込型枠構造体を前記開口に再び装着する第５のステップと、前記設置された内側壁型枠及び外側壁型枠について互いに連接する前記支保材組込型枠構造体同士を結合することでコンクリート打設前仮設構造体を形成するステップであって、前記コンクリート打設前仮設構造体は前記支保材組込型枠構造体同士が角度をもって突合されることで形成される略Ｌ字状隅角部を有する、第６のステップとをさらに具備する。
【００１６】
上記態様によれば、略Ｌ字状隅角部が形成されることで、平板上の場合よりもさらに応力度が増大するので、コンクリート等の重量／側圧にもより強力に抗することができる。しかも、建築工事施工現場に配筋組付済支保材組込型枠構造体もしくは支保材組込型枠構造体を搬入した後は、脱着可能支保材組込型枠構造体を外して鉄筋（たとえば横筋）の定着を行うことができ、かかる定着が完了したら脱着可能支保材組込型枠構造体を再び装着することで、壁型枠仮設工事を容易に完了することができる。
【００１７】
本発明の第３の態様として、第１もしくは第２の態様において、前記金属製中空棒状材は角型鋼管であるようにしてもよい。このようにすることで、壁面との取り合いが安定するのみならず、断面角型である形状上、一定のせん断応力度及び曲げ応力度を発揮するから、コンクリート等の重量／側圧にもより強力に抗することに資する。
【００１８】
本発明の第４の態様として、第１〜第３の態様のうちのいずれかの態様において、前記脱着可能支保材組込型枠構造体を前記開口に再び装着する、もしくは前記互いに連接する前記支保材組込型枠構造体同士を結合するについては、互いに隣接する前記金属製中空棒状材について該金属製中空棒状材の側面に穿設された孔に結合具を貫通させて装着もしくは結合するようにしてもよい。かかる態様によれば、たとえば縦桟材が隣立した状態でこの２本の桟材を結合具が貫通するようにして緊結されることから、当該結合箇所は２本の縦桟材による剛性が期待でき、さらに、上記からコンクリート打設時の側圧のかかる方向と略直交する方向に軸方向を有することになる結合具の剪断力をも期待できることになる。よって、コンクリート打設時の側圧にもより抗する力が生成されることになる
【００１９】
本発明の第５の態様として、第１〜４の態様のうちのいずれかの態様において、前記縦方向枠材もしくは前記横方向枠材の正面から螺子機構を有するセパレータを挿通可能なセパレータ穴を複数穿設するセパレータ孔穿設ステップと、前記支保材組込型枠構造体にセパレータを配設するステップであって、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設ししかる後に前記螺子機構にて前記縦方向枠材もしくは前記横方向枠材に前記セパレータが固定される、セパレータ配設ステップとをさらに具備するようにしてもよい。この態様によれば、セパレータが型枠パネルのみならず、縦桟（もしくは横桟）及び鋼板がセパレータを介して実質的に剛に接続される構造が実現されるから、安定性に資するのみならず、コンクリート打設時にも鉄筋等のずれを生じない構造を実現できる。また、縦桟（もしくは横桟）材に支保材組込型枠構造体に固定的に配設されることで、型枠間の距離が一定に保たれるのみならず、セパレータに鉄筋等を仮止めすることもできる。また、セパレータに一定径を有する材を選択することで、本体仮設材であるセパレータに鉄筋を溶接等して略固定したものとして扱うことができ、セパレータを含めた実質的剛構造を実現することができる。これにより、壁配筋・型枠工事等のコンクリート打設用前段階工程工事を安定化させることに資する。さらに、セパレータを含めた実質的剛構造を形成することから、この単位で現場への搬入を行うことができ、工期の短縮化にさらに資することになる。
【００２０】
本発明の第６の態様として、第２の態様において、前記鋼板及び前記縦桟並びに前記横桟による剛性、前記支保材組込型枠構造体の持つ壁体の付いたラーメン構造としての性質、隣接する前記支保材組込型枠構造体同士が連結される前記結合具の剪断力、前記コンクリート打設前仮設構造体の持つ壁体の付いたラーメン構造としての性質、前記略Ｌ字状隅角部が持つ立体的剛性、の組合せによって、コンクリート打設時の側圧に対抗できるように構成されるようにしてもよい。
【００２１】
上記態様によれば、鋼板が一定厚であることからそれ自体で一定の剛性が発揮され、縦桟及び横桟はたとえば鋼材からなるコラム材であるから材質による剛性及び形状からくる剛性が発揮され、支保材組込型枠構造体は鋼製プレートの一面にコラム材の枠体で四周が形成されたものが配設されてなる構造であるから壁体の付いたラーメン構造としての剛性が発揮され、隣接する前記支保材組込型枠構造体同士がたとえば一定径を有する（ボルト締め可能な）芯材によって連結・結合されるからかかる芯材の剪断力による剛性が発揮され、コンクリート打設前仮設構造体は支保材組込型枠構造体が複数緊結されて実質的に一体化されることで略ラーメン構造としての剛性が発揮され、また、（平面視）略Ｌ字状隅角部は立体的には出隅部を有しかかる出隅部はトラス構造を内包することから側圧方向の力に対して軸力で対抗することによる一定を剛性を獲得できることとなり、これらの各剛性が組み合わさって、コンクリート打設時の側圧に抗する力を生じることになる。
【００２２】
本発明の第７の態様として、第２の態様において、前記内側壁型枠及び／もしくは前記外側壁型枠として設置された複数の前記配筋組付済支保材組込型枠構造体及び／もしくは複数の前記支保材組込型枠構造体の一部はコンクリート打設の後も該コンクリート中に埋め込まれるようにしてもよい。
【００２３】
上記第１〜第６の態様においては、型枠（外壁側型枠、内壁側型枠）は埋設される態様でも、埋設されずコンクリート打設→養生、後に解体・撤去される態様であってもよい。この点で、上記第７の態様によれば、コンクリート打設の後も該コンクリート中に埋め込まれる部分を型枠が持つことから、仮設工事に係る型枠の少なくとも一部を解体する工程が省かれるから、その分工期が短縮される、という効果が奏されるだけでなく、狭小地、たとえば隣地との隙間が極めて限定された距離しか持てないような施工場所においても、外壁側型枠の取り外し工事をなくせることから、一般的には施工不可能な場所であっても施工を行うことができる、という独自の効果を奏することができる。
【００２４】
本発明の第８の態様として、第１〜第７の態様のうちのいずれかの態様において、前記内側壁型枠及び／もしくは前記外側壁型枠として設置された複数の前記配筋組付済支保材組込型枠構造体及び／もしくは複数の前記支保材組込型枠構造体の一部に対して外壁仕上げ材を取り付けるステップをさらに具備するようにしてもよい。
【００２５】
ここで、外壁仕上げ材は、外壁の最終態様として露出する態様を表す材であり、各種素材によることができ、セメント製や金属製であってもよい。また、工法として湿式でも乾式でもよく、さらには湿式としての塗り壁・タイル張りであっても、また、乾式としてのサイディングであってもよい。上記態様によれば、仮設段階において仕上げまで組み込んだ型枠とし、かかる型枠を埋め込みとするので、仮設型枠取り外し工程のない、「やりっ放し」型枠工事を実現することができる。これにより、工期が短縮されるだけでなく、労力、材料の削減も実現できる。しかも、外壁仕上げ材を適宜選択することで、多種多様な外壁を仕上げることができる。
【００２６】
本発明の第９の態様として、第１〜第８の態様のうちのいずれかの態様において、前記脱着可能支保材組込型枠構造体は、該脱着可能支保材組込型枠構造体を構成する前記鋼板が前記脱着可能支保材組込型枠構造体を形成しない前記鋼板から別体とされ、前記特定の前記短冊状区画もしくは前記特定の短冊内分割区画を構成する前記枠内四周の第１の前記金属製中空棒状材の内側に別の第２の金属製中空棒状材が略内接して内側四周が形成され、互いに隣接する前記第１の金属製中空棒状材と前記第２の金属製中空棒状材とが複数個所、結合具（緊結具）にて緊結される構造を有するようにしてもよい。
【００２７】
上記態様によれば、脱着可能支保材組込型枠構造体部分がその周囲部分との関係で、二重の周壁を形成することとなるので、脱着可能支保材組込型枠構造体を脱着可能にしつつも十分な剛性を確保することができる。しかも、緊結具を備えさせることにより、脱着の手間を軽減することができる。また、この際に、結合具（緊結具）の軸行方向がコンクリート打設時／後の側圧方向と略直交することから、結合具（緊結具）の剪断力も期待できる。
【００２８】
本発明の第１０の態様として、第２〜第９の態様のうちのいずれかの態様において、前記配筋組付済支保材組込型枠構造体（ただし堰板は一方側のみ）及び／もしくは前記支保材組込型枠構造体（ただし堰板は一方側のみ）をスラブ型枠として形成する床板第１のステップと、第１の前記スラブ型枠と前記第１のスラブ型枠に隣接する第２の前記スラブ型枠とを連接し、前記スラブ型枠のうち前記内側壁型枠及び／もしくは前記外側壁型枠と係合する箇所について前記スラブ型枠と前記内側壁型枠及び／もしくは前記外側壁型枠及び／もしくは前記略Ｌ字状隅角部とを連結して全体ラーメン仮設構造体を形成する床板第２のステップと、前記スラブ型枠に配設される鉄筋と前記内側壁型枠及び／もしくは前記外側壁型枠に配設される鉄筋との間で定着もしくは連接をとる床板第３のステップとをさらに具備するようにしてもよい。
【００２９】
上記態様によれば、スラブ部分の配筋作業、配筋後の状態、ひいてはコンクリート打設迄の施工作業を安定化することができる。また、スラブ型枠を構成する支保材組込型枠構造体と壁型枠を構成する支保材組込型枠構造体とを一体化することで、全体構造をラーメン構造様剛構造もしくは実質的箱型剛構造とすることができるから、かかる全体構造としてのコンクリート打設時の側圧対抗力を上昇させることができる。
【００３０】
本発明の第１１の態様として、第１０の態様において、前記スラブ型枠に連接され複数段を構成する鋼板を有する階段型枠を形成する階段第１のステップと、前記階段型枠と前記スラブ型枠とを連結し、必要に応じて前記階段型枠と前記内側壁型枠及び／もしくは前記外側壁型枠及び／もしくは前記略Ｌ字状隅角部とを連結する階段第２のステップと、前記階段型枠の上側に鉄筋を配筋し、前記内側壁型枠及び／もしくは前記外側壁型枠及び／もしくは前記略Ｌ字状隅角部及び／もしくは前記スラブ型枠に配設される鉄筋との間で定着もしくは連接をとる階段第３のステップとをさらに具備するようにしてもよい。
【００３１】
上記態様によれば、階段部分の配筋作業、配筋後の状態、ひいてはコンクリート打設迄の施工作業を安定化することができる。また、階段型枠を構成する支保材組込型枠構造体とスラブ型枠を構成する支保材組込型枠構造体と壁型枠を構成する支保材組込型枠構造体とを一体化することで、全体構造をラーメン構造様剛構造もしくは実質的箱型剛構造とすることができるから、かかる全体構造としてのコンクリート打設時の側圧対抗力をさらに上昇させることができる。また、階段型枠が他型枠と上記一体化されることで作業動作に堪え得る一定の剛性を得るので、仮設階段に似た構造体が実現され、仮設工事の際の作業導線の利便性を向上することができる。
【００３２】
本発明の第１２の態様として、第１〜第１１の態様のうちのいずれかの態様において、前記縦方向枠材、横方向枠材、前記縦桟材、前記横桟材のうち少なくともいずれかは前記鋼板の前記一面に溶接されて取り付けられるようにしてもよい。
【００３３】
上記態様によれば、支保材組込型枠構造体としての剛性を強力に保持することができる。
【００３４】
本発明の第１３の態様として、第５の態様において、前記鉄筋と前記セパレータとが仮結合され、及び／もしくは、前記鉄筋と前記セパレータとが互いに溶接され、或いは第１の前記セパレータと第２の前記セパレータとが互いを介在する部材に溶接されるようにしてもよい。
【００３５】
上記態様によれば、配筋された鉄筋のずれを減少させる、もしくは略なくすことができる。
【００３６】
上述した課題を解決するために、本発明の第１４の態様に係る鉄筋コンクリート構造物の施工方法は、第１〜第１３の態様のうちのいずれかの態様に係る鉄筋コンクリート構造物のコンクリート打設前段階工事の施工方法によって得られた前記コンクリート打設前仮設構造体に対して、コンクリートを打設するステップをさらに有して構成される。
【００３７】
上記態様によれば、上記態様によるコンクリート打設前仮設構造体は略（工場を含む）バックヤードにて事前に形成することができ、現場施工作業を最小化でき、そのため、工期の大幅短縮を実現できる。さらに、現場作業を最小化できることから、異種作業もしくは同種作業同士の取り合い工事或いは錯綜作業を極端に減縮でき、これにより安全性を向上させることができる。
【００３８】
上述した課題を解決するために、本発明の第１５の態様に係る鉄筋コンクリート打設用型枠は、一定厚を有する鋼板の一面側に、四周の端部に金属製中空棒状材からなる縦方向枠材及び横方向枠材を有し、前記四周内の縦方向に略内接するように金属製中空棒状材からなる縦桟材が複数互いに離隔するように略並行に取り付けられて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成され、前記複数の短冊状区画のそれぞれの横方向に略内接するように金属製中空棒状材からなる横桟材が必要に応じて単数もしくは複数取り付けられることで単数もしくは複数の短冊内分割区画が構成され、前記短冊内分割区画の四周の端部に配設された前記金属製中空棒状材と前記鋼板とが略一体化された支保材組込型枠構造体と、第１の前記支保材組込型枠構造体の内の特定の前記短冊状区画もしくはその一部が有する脱着可能支保材組込型枠構造体とを具備して構成される。
【００３９】
上記態様によれば、工期を大幅に短縮できるバックヤード作業に適した鉄筋コンクリート打設用型枠であって、楊重及び／もしくは搬出・搬入に便宜であるだけでなく、コンクリート打設時においても支保工を実質的に不要とする型枠が実現できる。
【００４０】
本発明の第１６の態様として、第１５の態様において、前記鋼板及び前記縦桟並びに前記横桟による剛性、前記支保材組込型枠構造体の持つ壁体の付いたラーメン構造もしくは実質的箱型剛構造としての性質、のうちの少なくともいずれかがコンクリート打設時の側圧の一部に対抗できるように構成されるようにしてもよい。
【００４１】
上記態様によれば、鋼板が一定厚であることからそれ自体で一定の剛性が発揮され、縦桟及び横桟はたとえば鋼材からなるコラム材であるから材質による剛性及び形状からくる剛性が発揮され、支保材組込型枠構造体は鋼製プレートの一面にコラム材の枠体で四周が形成されたものが配設されてなる構造であるからラーメン構造もしくは実質的箱型剛構造としての剛性が発揮されることとなり、これらの各剛性が組み合わさって、コンクリート打設時の側圧に抗する力を生じることになる。
【００４２】
本発明の第１７の態様として、第１５もしくは第１６の態様において、前記金属製中空棒状材は角型鋼管であるようにしてもよい。このようにすることで、壁面との取り合いが安定するのみならず、断面角型である形状上、一定のせん断応力度及び曲げ応力度を発揮するから、コンクリート等の重量／側圧にもより強力に抗することに資する。
【００４３】
本発明の第１８の態様として、第１５〜第１７の態様のうちのいずれかの態様において、前記縦方向枠材もしくは前記横方向枠材の正面にセパレータを挿通可能なセパレータ穴が複数穿設され、前記セパレータは螺子機構付セパレータであり、前記縦方向枠材もしくは前記横方向枠材、前記内側壁型枠に係る前記鋼板、前記外側壁型枠に係る前記鋼板、前記縦方向枠材もしくは前記横方向枠材を前記セパレータが挿通するように配設され前記螺子機構にて前記縦方向枠材もしくは前記横方向枠材に前記セパレータが固定されるようにしてもよい。
【００４４】
この態様によれば、セパレータが型枠パネルのみならず、縦桟（もしくは横桟）材に支保材組込型枠構造体に固定的に配設されることで、型枠間の距離が一定に保たれるのみならず、セパレータに鉄筋等を仮止めすることもできる。また、セパレータに一定径を有する材を選択することで、本体仮説材であるセパレータに鉄筋を溶接等して略固定したものとして扱うことができ、セパレータを含めた略剛構造を実現することができる。これにより、壁配筋・型枠工事等のコンクリート打設用前段階工程工事を安定化させることに資する。
【００４５】
本発明の第１９の態様として、第１５〜第１８の態様のうちのいずれかの態様において、前記脱着可能支保材組込型枠構造体は、前記特定の前記短冊状区画を構成する前記枠内四周の第１の前記金属製中空棒状材の内側に略内接して取り付けられる第２の金属製中空棒状材を備え、互いに隣接する前記第１の金属製中空棒状材と前記第２の金属製中空棒状材とが複数個所緊結具にて緊結される構造を有するようにしてもよい。
【００４６】
上記態様によれば、脱着可能支保材組込型枠構造体部分がその周囲部分との関係で、二重の周壁を形成することとなるので、脱着可能支保材組込型枠構造体を脱着可能にしつつも十分な剛性を確保することができる。しかも、緊結具を備えさせることにより、脱着の手間を軽減することができる。
【００４７】
なお、別の態様として、下記の技術思想も本願に包摂することができる。すなわち、本発明の別の第１の態様に係るプレフォーム工法は、鋼製型枠用プレートの外面に枠組を配設して井桁桟組鋼製型枠を形成する第１のステップと、前記井桁桟組鋼製型枠体に壁配筋し必要な設備スリーブを設置する第２のステップと、第１もしくは第２の前記井桁桟組鋼製型枠に穿設されたセパレータ孔からセパレータを前記第１もしくは第２の井桁桟組鋼製型枠間に挿通し第１及び第２の前記井桁桟組鋼製型枠を対にて対向立設するとともに前記壁配筋は前記セパレータに適宜仮固定して前記第１及び第２の井桁桟組鋼製型枠並びに前記セパレータを自立性を有した仮設構造体として一体化した井桁桟組鋼製型枠体を形成する第３のステップと、前記井桁桟組鋼製型枠体において、内壁面側に取り外し可能スパンを設定し当該スパンを係止具にて係止する第４のステップと、前記井桁桟組鋼製型枠体を制作された場所から搬出して現場に搬入して所定場所に設置する第５のステップと、前記係止具を取り外すことで前記取り外し可能スパン部分を開放したところから横筋の定着をとって横方向を固定したうえで、前記取り外し可能スパン部分を閉じて前記係止具にて係止する第６のステップと、コンクリートを打設する第７のステップとを具備する。
【００４８】
このようにすると、一定の厚を有する鋼製プレートの外面に一定の厚さ・太さを備えたたとえば鋼材コラムにて一定ピッチの縦桟もしくは横桟もしくは桟を井桁状に組んだものが配設された（たとえば鋼製プレートに溶接された）鋼製型枠を型枠として使用するので、配筋作業を含む相当の作業工程までたとえば工場もしくはバックヤードにて先行施工をすることができるのみならず、現場搬入後コンクリート打設前に、支保工を、木造型枠の場合に比して大幅に減縮することができる。場合によっては、壁面からの側圧はすべて型枠自体で吸収させることができ、これによって、側圧に対向する支保工に係る仮設工事を省くことができる。
【００４９】
本発明の別の第２の態様として、別の第１の態様において、階段部分について鋼製型枠プレート配置して配筋する階段施工ステップと、上階スラブ部分を鋼製型枠プレート配置して配筋する上階スラブ施工ステップとをさらに具備するようにしてもよい。
【００５０】
そのようにすると、複層階の施工においても、上記メリットを享受することができる。
【００５１】
本発明の別の第３の態様として、別の第２の態様において、前記上階スラブ施工ステップにおいては、トラス部材を導入して床配筋と適宜接合するようにしてもよい。
【００５２】
そのようにすると、トラス部材がたとえば横方向のスラブ筋と直交する方向もしくは並行する方向に配されることでスラブ筋と緊結することができるので、スラブ部分の配筋作業、配筋後の状態、ひいてはコンクリート打設迄の施工作業を安定化させることができる。
【００５３】
また一実施態様としては、工場内で予め所定区画に間仕切られた躯体を形成すべく、セパレータを介して互いに離間距離をおいて設置する複数の外側堰板と内側堰板との接合によりプレフォーム組立構成体を形成しておき、プレフォーム組立構成体を建設施工現場に搬送することを特徴とする。
【００５４】
また別の一実施態様としては、上記一実施態様において、工場内で予め所定区画に間仕切られた鉄筋コンクリート躯体を形成すべく、前記セパレータを介して互いに離間距離をおいて設置する前記外側堰板と前記内側堰板との複数の壁用埋設型枠に分割形成しておき、スラブ上で前記壁用埋設型枠同士を接合し組付けることで前記プレフォーム組立構成体となし、前記プレフォーム組立構成体を建設施工現場に搬送することで、前記所定区画に間仕切りを構成した躯体構築用構造体としてもよい。
【００５５】
さらに別の一実施態様としては、施工した鉄筋を挟むように、前記セパレータを介して互いに離間距離をおいて配される前記複数の外側堰板と前記複数の内側堰板とを設置して前記プレフォーム組立構成体を形成し、前記プレフォーム組立構成体を建設施工現場に搬送することで、前記プレフォーム組立構成体の内側にコンクリートを打設し、養生後には前記内側堰板の表面に内装材を張り付け、前記外側堰板の表面に外装材を貼り付けることを特徴とすることができる。
【００５６】
また別の一実施態様として、上記態様において、前記壁用埋設型枠を構成する前記外側堰板と前記内側堰板との各外面には、縦方向に角筒状の支柱が配され、この支柱を介して前記セパレータが配されるようにしてもよい。
【００５７】
さらに別の一実施態様としては、上記態様において、前記外側堰板と前記内側堰板との各外面には部分的に開口可能とする枠蓋手段が設けられ、前記壁用埋設型枠同士を跨ぐように後から枠蓋手段を開けて略Ｕ字型の連結用鉄筋の配筋を可能にしてもよい。
【００５８】
また別の一実施態様としては、上記態様において、前記鉄筋には、前記外側堰板と前記内側堰板とを任意の間隔で保持した状態でコンクリートを打設するよう略円板形状のスペーサ部材の中心部が取り付けられているようにしてもよい。
【００５９】
さらに別の一実施態様としては、上記態様において、鋼製取っ手の長手方向両端に鋼棒を突設し、一端の鋼棒は他端の鋼棒よりも長く、長い前記鋼棒の先端には取っ手と平行に差し込み鋼棒を備えたクランプ部材の前記差し込み鋼棒を、隣接する前記壁用埋設型枠の縦方向の前記支柱同士にかけて形成した横孔に通し、前記鋼製取っ手を前記壁用埋設型枠側に強打することで左右の長短の前記鋼棒で前記支柱同士を挟持したようにしてもよい。
【００６０】
また別の一実施態様としては、上記態様において、前記プレフォーム組立構成体を形成するスラブ部分に係るプレフォーム組立構成体の床版パネル上に、たとえばスペーサーを介して下筋が敷設され、その上側にトラス型(ラチス筋)の斜材を介して、上筋が、たとえば前記下筋に垂直に取付けられたボルトの上端に固定されてなる床版用埋設型枠が取り付けられるようにしてもよい。
【００６１】
さらに別の一実施態様としては、上記態様において、外側堰板の支柱の上下端には、他面側上枠及び他面側下枠を有し、その長さが、内側堰板の支柱の上下端に有する一面側上枠又は一面側下枠より長く、前記外側堰板は、その幅が、前記内側堰板より大きいようにしてもよい。
【００６２】
また別の一実施態様としては、上記態様において、前記外壁側支柱は、前記内壁側支柱より長く、前記外側堰板は、前記内壁堰板より長いようにしてもよい。
【００６３】
さらに別の一実施態様としては、上記態様において、前記建設施工現場において、支保工／支保梁を省くようにしてもよい。
【発明の効果】
【００６４】
本発明の各態様によれば、一定の厚を有する鋼製プレートの外面に一定の厚さ・太さを備えたたとえば鋼材コラムにて一定ピッチの縦桟もしくは横桟もしくは桟を井桁状に組んでものが配設された鋼製型枠を型枠として使用するので、配筋作業を含む相当の作業工程までたとえば工場もしくはバックヤードにて先行施工をすることができるのみならず、現場搬入後コンクリート打設前に、支保工を、木造型枠の場合に比して大幅に減縮することができる。場合によっては、壁面からの側圧はすべて型枠自体で吸収させることができ、これによって、側圧に対向する支保工に係る仮設工事を省くことができる。
【００６５】
これに加えて、現場工期の縮小・効率化を図れる、狭小地にも最大限対応できる、という独特の効果を奏する。
【００６６】
また、鋼製の型枠パネルユニットを予め工場で製作し、建設施工現場に搬入することで、道幅の狭い住宅密集地でも利用が可能な、狭小現場であっても取り扱いがしやすい鉄筋コンクリート工事用仮設工事が実現される。且つ、支保工／支保梁もなくて済むことから、内外壁面・天面・床面・擁壁等を少ない職人で容易且つ迅速に組み立てることができ、さらに、施工現場において、埋設型枠同士を跨ぐように後から鉄筋の配筋を可能にし、コンクリート構造物の角部や間仕切り端部、上下階境目部、コンクリート打ち継ぎ部等において、一体性を高度に有する、鉄筋コンクリート構造施工用仮設物の構築を可能とし、工期も短縮できる埋設型枠によるプレフォーム工法を提供することができる。
【図面の簡単な説明】
【００６７】
【図１】本発明の一実施形態に係る組付け後のプレフォーム組立構成体の外観を示す斜視図である。
【図２】本発明の一実施形態に係るプレフォーム組立構成体の平面図である。
【図３】本発明の一実施形態に係る外側堰板または内側堰板を外側から見た斜視図である。
【図４】本発明の一実施形態に係る壁用埋設型枠の分解斜視図である。
【図５】本発明の一実施形態に係る壁用埋設型枠の拡大断面図である。
【図６】本発明の一実施形態に係る、（ａ）は壁用埋設型枠の正面図、（ｂ）は壁用埋設枠蓋付型枠の正面図である。
【図７】本発明の一実施形態に係る、（ａ）は壁用埋設型枠の平面図、（ｂ）は図５（ａ）のＢ−Ｂ断面図、（ｃ）は壁用埋設型枠の側面図である。
【図８】本発明の一実施形態に係る、（ａ）は幅サイズの短い壁用埋設型枠の平面図、（ｂ）は図６（ａ）のＡ−Ａ断面図、（ｃ）は壁用埋設型枠の背面図である。
【図９】本発明の一実施形態に係る壁用埋設型枠内側のセパレータの周辺を示す斜視図である。
【図１０】本発明の一実施形態に係る壁用埋設型枠内側のスペーサ部材の周辺を示す側方から見た断面図である。
【図１１】本発明の一実施形態に係る壁用埋設型枠内側に配した横筋同士を接続する連結用鉄筋の周辺を上方から見た段面図である。
【図１２】本発明の一実施形態に係る壁用埋設型枠の縦方向の支柱同士を接合するクランプ部材を示し、（ａ）はクランプ部材を横孔に差し込む前の状態の斜視図、（ｂ）はクランプ部材を横孔に差し込んだ状態の斜視図である。
【図１３】本発明の一実施形態に係る、（ａ）は床版用埋設型枠の側面図、（ｂ）は要部の拡大された側面図、（ｃ）は要部の拡大された正面図である。
【図１４】本発明の一実施形態に係る床版用埋設型枠を示す斜視図である。
【図１５】本発明の一実施形態に係る壁用埋設型枠と床版用埋設型枠とを組み合わせる状態を示す概略図である。
【図１６】本発明の一実施形態に係る第一の壁用埋設改良型枠を示す斜視図である。
【図１７】図１６に示す第一の壁用埋設改良型枠を示す内面図である。
【図１８】本発明の一実施形態に係るコンクリート構造物の角接合部において、第一の壁用埋設改良型枠を二つ用いて組み合わせた状態を部分的に示す平面図である。
【図１９】本発明の一実施形態に係るコンクリート構造物の間仕切り端接合部において、第一の壁用埋設改良型枠を二つ、及び壁用埋設基本型枠を用いて組み合わせた状態を部分的に示す平面図である。
【図２０】本発明の一実施形態に係る第二の壁用埋設改良型枠を示す斜視図である。
【図２１】本発明の一実施形態に係るコンクリート構造物の上下階接合部において、本発明に係る第二の壁用埋設改良型枠と、床版用埋設型枠との組み合わせ状態を部分的に示す側面図である。
【図２２】本発明の一実施形態に係るコンクリート構造物の上下階接合部において、本発明に係る第二の壁用埋設改良型枠と、床版用埋設型枠とを組み合わせた後に、コンクリートを打設する状態を部分的に示す側面図である。
【図２３】本発明の別の一実施形態を説明する図であって、壁用型枠と床との納まり部分を詳細に示す概念的断面図である。
【発明を実施するための形態】
【００６８】
以下、図面を参照して本発明の一実施形態に係るプレフォーム工法について詳細に説明する。
【００６９】
本実施形態のプレフォーム工法は、図１〜図２２に順に示されるように進行するが、工程が必ずしもこのとおりでなくてもよく、工程によっては順序を入れ替えることが可能である。
【００７０】
本発明の一実施形態に係るプレフォーム工法に用いられる型枠は、工場で予め制作された埋設型枠であって、現場搬入が容易であって、コンクリート断面の構造部材の一部を形成する、いわば仮設物である型枠が本設物である鉄筋コンクリート躯体の一部を構成する構造部材型埋設型枠であるともいえる。
【００７１】
一般に鉄筋コンクリート構造は、鉄筋配筋・型枠の設置・支保工仮設・コンクリート打設・型枠及び支保工の解体、と現場での作業が煩雑であるとともに、コンクリートの硬化及び養生期間の経過、型枠の解体を待つ必要があり、工事期間が木造・Ｓ造に比較して長期化してしまう。
【００７２】
そこで、プレキャストコンクリート工法が提案されており、現場作業の短縮や、省人化に伴う生産性の向上が図られている。しかしながら、コンクリート製のパネルは相当な重量を持つため、施工現場への搬入が容易ではなく、現場に搬入されてもクレーンなどの揚重機を用いなければ組み立てることはできず、狭小地において最大限に敷地を生かすための施工ができない点は上述した通りである。
【００７３】
本発明の一実施形態に係るプレフォーム工法は、上記に鑑みて、道幅の狭い住宅密集地でも利用が可能であって、取り扱いがしやすく、かつコンクリートの一体性の高いコンクリート構造物とすることができる工法として、本発明者が上述のとおりの種々試行錯誤を経て発案したものである。
【００７４】
具体的には、本発明の一実施形態に係るプレフォーム工法は、次の順序にしたがって実施される。
１  鋼製型枠用プレート（一定厚を有する鋼板）の外面に枠組（縦方向枠材及び横方向枠材）を配設して井桁桟組鋼製型枠の原型（支保材組込型枠構造体の原型）形成
２  井桁桟組鋼製型枠の原型（支保材組込型枠構造体の原型）内に縦桟、横桟を構造力学的必要に応じた位置に単数もしくは複数取付溶接することで井桁桟組鋼製型枠（支保材組込型枠構造体）形成
３  井桁桟組鋼製型枠を対にて対向立設してセパレータ配設
４  井桁桟組鋼製型枠体を適宜自立性仮設構造体として仮配置
５  内装検討
６  この折もしくは上記１〜５のいずれかのステップにおいて、取り外し可能スパン（脱着可能支保材組込型枠構造体）を形成し当該スパンを係止具して係止
７  壁配筋及び設備スリーブ等設置：配筋はセパレータに仮固定し現場搬入に際しては一体的構造物化する
８  階段部分について鋼製型枠プレートもしくは井桁桟組鋼製型枠（支保材組込型枠構造体）を配置して配筋
９  上階スラブ部分として井桁桟組鋼製型枠（支保材組込型枠構造体）配置して配筋、この際にはトラス施工
１０  適宜分解単位を設定して当該分解単位ごとに搬出：この際には、当該分解単位に可能な限り平面視略Ｌ字状部分を含むことが好ましい
１１  現場搬入・設置
１２  取り外し可能スパン部分にて横筋を導入、定着をとって横方向固定
１３  コンクリート打設：この際には、好適には、型枠叩き、内側型枠―外側型枠内にバイブレーター等使用する
【００７５】
上記は一例にすぎないものであり、たとえば、井桁桟組鋼製型枠体を適宜自立性仮設構造体として仮配置するステップ（上記の４）の前に配筋のステップ（上記の７）を入れてもいいし、或いは、型枠形成のステップ（上記の１〜３）と配筋のステップ（上記の７）とを並行作業として進め、両者をドッキングした後に井桁桟組鋼製型枠体を適宜自立性仮設構造体として仮配置するステップ（上記の４）を入れるようにしてもよい。なお、外装仕上げによっては、上記型枠の外槽側内面に、たとえばサイディング材（たとえばレンガ調の仕上げ材）を張り込んでもよい。
【００７６】
＜実施例＞
次に、本発明に係る壁用埋設型枠と床版用埋設型枠の実施例について、図面に基づき説明する。本実施例に係る壁用埋設型枠及び床版用埋設型枠は、予め工場等で制作し、施工現場で並べて組み立て緊結・接合した後、施工現場にてコンクリートを打設することによってコンクリート構造物を建築するものである。ゆえに、その大きさ及び形状は特定されず、設計されたコンクリート構造物に応じて、適宜大きさ及び形状をした複数の型枠を準備しておくものとする。なお、以下に述べる実施の形態は、本発明の好適な具体例であるため技術的に種々の限定が付されているが、本発明の範囲は、以下の説明において特に限定する旨の記載がない限り、これらの形態及び／もしくは実施例に限られるものではない。
【００７７】
本実施形態に係るプレフォーム工法は、図３、図４、図５に示すように、壁が形成される位置に配筋される（縦横方向がたとえばダブル配筋される）鉄筋、及びセパレータ１７を介して互いに離間距離をおいて設置される鋼製型枠用プレートである複数の外側堰板１６と内側堰板１５との接合によりプレフォーム組立構成体（井桁桟組鋼製型枠体）５を形成しておき、プレフォーム組立構成体を建設施工現場に搬送し、図１、図２に示すように、所定区画に間仕切りを形成した躯体構築用構造体（もしくは実質的箱構造体）Ｐとするものである。図３に示されるように、一つのプレフォーム組立構成体（井桁桟組鋼製型枠体）５をとった場合、外側面は四周に、枠材すなわち上側横桟８１、下側横桟８２、左側縦桟１２（１１）、右側縦桟１２（１１）が取り付けられて形成される。以下では、躯体とは、コンクリート打設が完了し所定の養生を経て鉄筋コンクリートとして完成した構造体をいうものとする。
【００７８】
あるいは、図３、図４、図５に示すように、セパレータ１７を介して互いに離間距離をおいて設置する外側堰板１６と内側堰板１５との複数の壁用埋設型枠１０に分割形成しておき、図１、図２に示すように、先ず縦筋・横筋等の鉄筋４を張り巡らして、壁用埋設型枠１０同士を接合し組付けることでプレフォーム組立構成体（井桁桟組鋼製型枠体）５となし、建設施工現場にこれらプレフォーム組立構成体５を搬送し、前記した所定区画に間仕切りを構成した躯体構築用構造体Ｐとするものである。
【００７９】
図４乃至図９に示すように、本実施形態における壁用埋設型枠１０は、鉄筋コンクリート構造物において壁を構成する一面側に配される複数の支柱１１(以下、「内壁側支柱」という)と、同壁を構成する他面側に配される複数の支柱１２(以下、「外壁側支柱」という)と、一対の堰板１５、１６と、複数のセパレータ１７と、を少なくとも備えることにより構成される。セパレータ１７は、打設されるコンクリートの側圧に対する構造材とはいえないまでも、径を選択することにより少なくとも当該側圧に対する補強材としての機能を有している。
【００８０】
内壁側支柱１１及び外壁側支柱１２は、中空の長尺筒状体であって、たとえば、一辺の寸法が２５ｍｍ角をした、長さ２６００ｍｍ、厚さ１．３ｍｍの鋼製の角パイプとすることができる。
【００８１】
内壁側支柱１１は、一方の平面１１ａ，１２ａ（外面）に第１の開口１１１，１２１を長手方向に沿って複数有すると共に、他方の平面１１ｂ，１２ｂ（内面）に第２の開口１１２，１２２を長手方向に沿って複数有し、外壁側支柱１２は、一方の平面１１ａ，１２ａ（外面）に第１の開口１１１，１２１を長手方向に沿って複数有すると共に、他方の平面１１ｂ，１２ｂ（内面）に第２の開口１１２，１２２を長手方向に沿って複数有する。
【００８２】
第１の開口１１１，１２１は、セパレータ１７を固定する締結部材１７１の支柱１１，１２内部への挿入を可能とすると共に、当該締結部材１７１の工具を用いた締緩作業を可能とするよう、たとえば直径１９ｍｍの大きさであり、第２の開口１１２，１２２は、セパレータ１７の挿通を可能とするよう、たとえば直径９ｍｍの大きさとすることができる。
【００８３】
セパレータ１７は、少なくとも一方の端部側及び他方の端部側の各外周面に沿って螺旋状のねじ山を有する、たとえば直径８ｍｍ、長さ２３０ｍｍをした丸棒状体とすることができる。ナットと称される締結部材１７１が、内壁側支柱１１及び外壁側支柱１２のそれぞれをたとえば挟み込むような形態で（図５）セパレータ１７にそれぞれ取付けられる。
【００８４】
締結部材１７１は、セパレータ１７の外周面に沿って備えられるねじ山と螺合可能なねじ溝を有する。また、セパレータ１７は、締結部材１７１の締緩動作によって互いに対向する内壁側支柱１１と外壁側支柱１２との間隔の調整を可能とするものであり、内壁側支柱１１及び外壁側支柱１２の長手方向に沿ってそれぞれ適宜間隔を設けて配されている。
【００８５】
一対の堰板１５，１６は、複数の内壁側支柱１１及び外壁側支柱１２に沿ってそれぞれ配される平板体であって、たとえば亜鉛メッキが施された高さ２７００ｍｍ、幅９１０ｍｍ、厚さ０．４ｍｍの薄鋼板とすることができる。すなわち、一方の堰板１６が複数の外壁側支柱１２に沿って配され、他方の堰板１５が複数の内壁側支柱１１に沿って配されたものとなっている。
【００８６】
これらの堰板１５，１６には、好適には、セパレータ１７の挿通を可能とする直径１０ｍｍ程度のセパ孔１５１又は１６１が、セパレータ１７の架橋取付け位置に対応するようにそれぞれ複数設けられており、セパレータ１７が内壁側支柱１１と外壁側支柱１２との間に堰板１５，１６を架橋して配されることで、一対の堰板１５，１６の間にコンクリートを打設するために形成される空間の間隔を保持する。なお、セパレータ用孔（「セパ孔」ともいう。）１５１又は１６１は、例えば縦２００ｍｍ間隔、横２９５ｍｍ間隔に設けるものとすることができる。
【００８７】
セパレータ１７は、支柱１１，１２の外部(すなわち、堰板１５，１６の他面側)に配された締結部材１７１と、支柱１１，１２の内部に配された締結部材１５，１６との締め付けによって、内壁側支柱１１又は外壁側支柱１２にそれぞれ取り付けられる。すなわち、図においてセパレータ１７は、一例として、二つの締結部材１７１，１７１を用いた、いわゆるダブルナットによって、堰板１５，１６を挟み込むようにして内壁側支柱１１又は外壁側支柱１２にそれぞれ取り付けられたものとして示されている。
【００８８】
建設施工現場において、プレフォーム組立構成体５の内側すなわち二枚の堰板１５，１６で囲まれるエリアにコンクリートが打設される。このとき、図１１に示すように、壁用埋設型枠１０同士を跨ぐように後から略Ｕ字型の連結用鉄筋９の配筋を可能にし、コンクリート構造物の角部や間仕切り端部、上下階境目部（第１パネルと当該第１パネルに隣接する第２パネルとの接合部分）の接合において、構造力学的に断絶の無い一体型のコンクリート構造物の建築を可能とする。コンクリートが打設され養生された後には、内側堰板１５を取り外さない場合には、そのまま内側堰板１５の表面から内壁側支柱１１を介して内装ボード材等の内壁材を張り付けることも可能である。また、養生後には、外側堰板１６を取り外さない場合には、そのまま外側堰板１６の方は外壁側支柱１２を介して、外装材としてのたとえばサイディング材を貼り付けることも可能である。
【００８９】
すなわち、複数の壁用埋設型枠１０を施工現場に搬入し、設計に合わせて並べて互いに連結することにより組み立て、一方の堰板１５と他方の堰板１６との間の空間内にコンクリートを打設してコンクリート構造物における壁を建築することができる。この際、壁用埋設型枠１０同士の互いの連結は、一方の壁用埋設型枠１０の外枠・縦桟と他方の壁用埋設型枠１０の外枠・縦桟とを横並びに接するように林立させ、こうした状態で２本の縦桟を、たとえば後述するような緊結具にて緊結することで、仮設構造体としての剛性をより強固に確保することができる。コンクリート打設を含む本設的には、内側堰板１５と内壁側支柱１１との結合体の持つ剛性又は外側堰板１６と外壁側支柱１２との結合体の持つ剛性が、壁用埋設型枠１０同士の互いの連結を保持するための力を与えるだけでなく、上記の隣立する２本の縦桟が緊結具にて緊結されることによる剪断力も上記保持する力を与えることに資する。
【００９０】
そして、本実施形態において壁用埋設型枠１０は、上述のとおり、外側堰板１６の方は外壁側支柱１２を介して、たとえば外装材としてのサイディング材を貼り付けるものとすることができる。サイディング材は、たとえば、ビスを用いて外壁側支柱１２に固定して取り付けることができるので、一旦取り付けた後であっても、他の外装材に貼り換えることができる。この際、外壁側支柱１２にサイディング材を取り付けることで、外壁側支柱１２における一方の平面側に取り付けられた堰板１６との間に、空気による断熱層が形成されたものとすることも可能である。
【００９１】
さらに、本実施形態において壁用埋設型枠１０は、内壁側支柱１１における他方の平面側に内壁側支柱１１を介して、下地板材としてのプラスターボード(又は石膏ボード)を貼り付けるものとすることができる。プラスターボードは、サイディング材と同様に、たとえば、ビスを用いて内壁側支柱１１に固定して取り付けることができる。
【００９２】
この際、内壁側支柱１１にプラスターボードを取り付けることで、内壁側支柱１１における一方の平面側に取り付けられた堰板１５との間に、空気による断熱層が形成されたものとすることも可能である。ゆえに、内壁側支柱１１における一方の平面側に取り付けられるプラスターボードと、内壁側支柱１１における一方の平面側に取り付けられた堰板１５との間に、内断熱層を構成する断熱材をさらに吹き付けるものとしても良い。
【００９３】
前述したように、外側堰板１６及び内側堰板１５は、図６（Ａ）に示すように、打設されるコンクリートの側圧に対する補強のため、それら外面縦方向に、角筒状の支柱１１，１２が配されている。この支柱１１，１２は、壁用埋設型枠１０の左右縁部に設けられている。また、縦方向の支柱１１，１２を跨ぐように、各筒状の横桟８Ａ，８Ｂが複数段に設けられている。そして、図６（Ｂ）に示すように、内側堰板１５の横端の一部に枠蓋１１０（取り外し可能スパン）が形成された壁用埋設枠蓋付型枠１００となっており、この枠蓋１１０は後述するクランプ部材（係止具／緊結具）の脱去により取り外せられるようになっている。
【００９４】
この壁用埋設枠蓋付型枠１００は、一面側もしくは他面側において、部分的に開口可能とする枠蓋機能が設けられたものとなっている。すなわち、壁用埋設枠蓋付型枠１００は、その内部において鉄筋の配筋作業を可能とする領域を確保するための構造を一面側もしくは他面側に備えている。以下、枠蓋機能の説明を容易にするため、一面側に枠蓋機能が設けられた場合を例に述べる。したがつて、枠蓋機能は他面側に設けられたものであっても良い。
【００９５】
この枠蓋機能（取り外し可能スパン）は、たとえば、複数の内壁側支柱１１・・１１に沿って一面的に配された堰板１５の一部を切欠するようにして設けることができる。具体的には、壁用埋設枠蓋付型枠１００の一面側の一部として、二本の内壁側支柱１１，１１に内挿されるように、配される二本の内壁側支柱１１Ａ，１１Ａと、内壁側支柱１１の上側横桟８１（図３参照）に内挿されるように配される内壁側上枠１３ａと、内壁側支柱１１の下側横桟８２（図３参照）に内挿されるように配される内壁側下枠１４ａとが板材の一面側（支柱１１が取り付けられた側）に取り付けられることで形成された領域を切欠することで形成された開口１１４と、この開口１１４に嵌入可能な枠蓋１１０とを備えて構成されたものとすることができる。すなわち、内壁側支柱１１と内壁側支柱１１Ａとが互いに隣接して樹立することで２重支柱構造をなし、上側横桟８１と内壁側上枠１３ａとが互いに隣接して横架されることで２重横架材をなし、内壁側下枠１４ａと下側横桟８２とが互いに隣接して横架されることで２重横架材をなしている。このときには、なお、上記及び以下では内壁側について取り外し可能スパンを説明しているが、取り外し可能スパンは外壁側に同様な考え方に沿って設けられてもよい。
【００９６】
この開口１１４は、高さが、内壁側支柱１１の長さと等しい２６５０ｍｍ、幅が、内壁側支柱１１が配される間隔と等しい２７０ｍｍ、からそれぞれクリアランス分の若干の寸法を加えたものとなっている。また、開口１１４は、壁用理設枠蓋付型枠１００の一面側において何れの位置に設けられるものであっても良いが、隣接する埋設型枠同士の接続を容易にするため、壁用理設枠蓋付型枠１００の隣接方向の端(すなわち、隣接する埋設型枠寄り)に設けるものとすると望ましい。
【００９７】
枠蓋１１０は、開口１１４に嵌入される大きさいっぱいの四周辺を占める内枠１１３と、この内枠１１３に取り付けられた堰板１１５とが接合されて構成されたものとなっている。内枠１１３は、上述したように、内壁側上枠１３ａ、内壁側支柱１１Ａ、内壁側下枠１４ａ、内壁側支柱１１Ａで四周が形成されている。この枠蓋１１０は、開口１１４に嵌入可能なものであるから、具体的には、高さ２６５０ｍｍ弱、幅２７０ｍｍ弱となっている。また、それ自体は図示しないが、内壁側上枠１３ａはそれが内挿される上側横桟８１とたとえばボルト等の緊結具によって強固に接合される。なお、図１２は異なる部材についての接合の態様を示すが、図１２に示すのと同様の態様をここで用いてもよい。同様に、内壁側下枠１４ａはそれが内挿される下側横桟８２とが、すなわち２重横架材をなすそれぞれが、或いは内壁側支柱１１Ａはそれが内挿される（隣接する）支柱１１とが、すなわち２重支柱構造をなすそれぞれが、たとえばボルト等の緊結具によって強固に接合される。この点は、２重横架材をなす上側横桟８１と内壁側上枠１３ａとについても同様である。このように、開口１１４の箇所は、当該開口１１４に嵌合する枠蓋１１０部分について、縦桟（支柱）や横桟がいわばダブル（二重）構造で画されることとなるので、より強固な剛性が確保される。
【００９８】
この堰板１１５は、堰板１５の一部を効率良く用いるものとすることができる。すなわち、複数の内壁側支柱１１・・１１に沿って取り付けられた堰板１５は、壁用埋設枠蓋付型枠１００の一面側に形成される開口１１４に対応する位置において、開口１１４に相当する大きさと略同様の大きさ分だけ、その一部が切欠されたものとなっている。ゆえに、枠蓋１１０においては、この切欠された堰板１５の一部を、内枠１１３に取り付けられる堰板１１５として用いるものとすると良い。
【００９９】
なお、枠蓋１１０は、開口１１４を形成する内壁側支柱１１や内壁側上枠１３ａ又は内壁側下枠１４ａに対して、溶接されて固定される。代替的に、壁用埋設枠蓋付型枠１００本体から無間に外れないように固定することができるのであれば、たとえば、ボルトを用いて緊締することであってもよい。
【０１００】
図１２（Ａ）（Ｂ）に示すように、隣接する壁用埋設型枠１０同士は鋼製のクランプ部材２４を使って接続する。すなわち、クランプ部材２４は、鋼製取っ手２５ａの長手方向両端に鋼棒２５ａ，２５ｃを突設し、一端の鋼棒２５ｃは他端の鋼棒２５ｂよりも長く、長い鋼棒２５ｃの先端には鋼製取っ手２５ａと略平行に差し込み鋼棒２５ｄを備えている。
【０１０１】
そして、隣接する壁用埋設型枠１０の接合部には縦方向の支柱１２（１１）が隣接し、これら支柱１２（１１）同士にかけて横孔２６が形成され、この２本分の横孔２６にクランプ部材２４（係止具）の差し込み鋼棒２５ｄを通す。そして、鋼製取っ手２５ａを壁用埋設型枠１０側に強打することで左右の長短の鋼棒２５ａ，２５ｃで支柱１２（１１）同士を挟持すると共に横孔２６に挿通される鋼棒２５ｄの剪断力によってずれが抑制され固定される。これにより隣接する壁用埋設型枠１０同士は強固に接続される。
【０１０２】
図９に示すように、プレフォーム組立構成体５を形成する複数の壁用埋設型枠１０の各内側には、縦筋４１・横筋４２等の鉄筋４が配筋されてあり、図１１に示すように、隣接する壁用埋設型枠１０の各縦筋同士を抱き込むようにして保持する上記した略Ｕ字型の連結用鉄筋９を備え、連結用鉄筋９と縦筋４１とがその交点箇所において結束されている。互いに平行配置されて連結用鉄筋９と横筋４２とが所々で結束されてもよい。
【０１０３】
図８（Ａ）乃至図８（Ｃ）は、横幅の狭い壁用埋設型枠１０′の一例であり、その構成は図７（Ａ）乃至図７（Ｃ）の場合と同様である。図９に示すように、セパレータ１７の先端にはネジ穴が形成され、このネジ穴部分にはゴム管２３を介して中央にフランジ２１を有する棒ネジの一端がねじ込まれて、ゴム管２３はフランジ２１によって圧縮された状態となっている。そして、コンクリート打設後には、養生したコンクリートの表面から棒ネジ２２の他端が露呈するような状態となる。この他端の棒ネジ２２に対して必要に応じて締結具を取り付けることにより、予め工場内で形成した化粧用の外装材を取り付けることが可能となる。
【０１０４】
また、図１０に示すように、壁用埋設型枠１０の内側に配した鉄筋４たとえば横筋４２には、外側堰板１６と内側堰板１５とを所定の間隔でたとえば円盤状のスペーサ部材２３が取り付けられ、打設されるコンクリートの外面に対して、鉄筋が所定のかぶり厚を確保できるようにしてある。なお、スペーサは縦筋４１に取りつけられてもよい。また、当然のことであるが、縦筋４１及び横筋４２は、交点箇所において所定ピッチで結束される。
【０１０５】
＜スラブ＞
図１３、図１４に示すように、スラブ型枠用パネル５０の下側に桟材（たとえばコラム部材）５１が取り付けられた床版用埋設型枠５００が予め工場にて形成される。スラブ型枠用パネル５０は、桟材（たとえばコラム部材）５１がたとえば溶接接合される平板体であって、たとえば亜鉛メッキが施された、高さ３１５０ｍｍ、幅９１０ｍｍ、厚さ０．４ｍｍの薄鋼板とすることができる。スラブ型枠用パネル５０と桟材５１との取付・接合の態様は、上述したような、たとえば図４におけるパネル１５と枠材１１との取付・接合の態様と同様であってよい。すなわち、スラブ型枠用パネル５０と桟材５１とが接合されて形成されるプレフォーム組立構成体５の上側に、一定のかぶり厚を確保したうえでスラブ用下側鉄筋５４が配筋され、その上側に、スラブ用上側鉄筋５２が配筋される。配筋に当たっては、たとえばトラス型(ラチス筋)の斜材５３を別途設置し、このトラスに鉄筋がところどころ結束されるようにして配筋することができる。この場合、スラブ用下側鉄筋５４及び／もしくはスラブ用上側鉄筋５２は、トラス型(ラチス筋)の斜材５３に固定されることになる。当該固定は、溶接によっても、或いは結束線による結束によっても、いずれでもよいがこれらに限定されることはない。こうして、スラブ型枠用パネル５０、桟材５１、上下配筋５２，５４が、或いは、スラブ型枠用パネル５０、桟材５１、上下配筋５２，５４、トラス型(ラチス筋)の斜材５３が、上述のように剛結合されて構造体である床版用埋設型枠５００が形成される。この床版用埋設型枠５００が上述した壁に関する配筋済壁用埋設型枠１０と結合されてさらに剛構造である、実質的剛構造結合体が仮設物として形成されることによって上層階が組立てられることになる。
【０１０６】
本実施の形態による壁用埋設型枠１０と床版用埋設型枠５００とは、コンクリート構造物の施工において互いに組み合わせられたうえで剛接合されて使用され、たとえば、図１５に示すように、壁用埋設型枠１０を互いに対向して並べると共に、壁用埋設型枠１０の内壁側支柱１１の所定位置に床版用埋設型枠５００を組み合わせるための連結固定具５８をそれぞれ取り付けた後、たとえば連結固定具５８の上に床版用埋設型枠５００を配する。この際、連結固定具５８としてはたとえばＬ字状をした山形鋼（「Ｌ型鋼」または「アングル材」ともいう。）を用いることができる。こうして仮設置されたものが位置決めが確定されると剛接合される。これにより、仮設構造体が剛構造化する。
【０１０７】
そして、スラブ型枠用パネル５０、桟材５１、上下配筋５２，５４、トラス型(ラチス筋)の斜材５３が剛結合されて形成される床版用埋設型枠５００を設置した後、壁用埋設型枠１０の内壁側型枠と床版用埋設型枠５００とを連結して剛構造体を形成したものにコンクリートを打設し、養生・硬化させることでコンクリート構造物における壁及び床面を建築することができる。なお、壁用埋設型枠１０と床版用埋設型枠５００とは共に、埋設タイプであってもよく、その場合には、コンクリートの硬化後に撤去する必要がなくそのまま存置されてよい。
【０１０８】
次に、本実施形態における第一の壁用埋設改良型について説明する。第一の壁用埋設改良型枠は、コンクリート構造物の角部や、間仕切りの端部の構築において、複数の壁用埋設型枠同士を組み合わせて用いるものであって、上述した壁用埋設基本型枠１０の構成を基本として備える。ゆえに、ここでは上述した壁用埋設基本型枠１０と異なる部分を中心に説明し、壁用埋設基本型枠１０と同様の構成部分は同じ符号を付してその説明は省略すると共に、特に説明しない限り同じであるものとする。
【０１０９】
図１６至図１７に示すように、この第一の壁用埋設改良型枠２０（２０Ａ）は、 コンクリート構造物において壁を構成する一面側に配される複数の内壁側支柱１１・・１１と、同壁を構成する他面側に配される複数の外壁側支柱１２・・１２と、一対の堰板１５，１６と、複数のセパレータ１７・・１７と、内壁側支柱１１の上端に配される内壁側上枠１３ａ及び内壁側支柱１１の下端に配される内壁側下枠１４ａと、外壁側支柱１２の上端に配される外壁側上枠１３ｂ及び外壁側支柱１２の下端に配される外壁側下枠１４ｂと、を少なくとも備えることにより構成される。
【０１１０】
すなわち、内壁側上枠１３ａは、複数の内壁側支柱１１の上端を、適宜間隔を設けて一体的に連結するものであり、内壁側下枠１４ａは、複数の内壁側支柱１1の下端を、適宜間隔を設けて一体的に連結するものである。一方、外壁側上枠１３ｂ、複数の外壁側支柱１２の上端を、適宣間隔を設けて一体的に連結するものであり、外壁側下枠１４ｂは、複数の外壁側支柱１２の下端を、適宜間隔を設けて一体的に連結するものである。
【０１１１】
この外壁側上枠１３ｂ及び外壁側下枠１４ｂは、たとえば、その長さが、セパレータ１７によって調整された、内壁側支柱１１と外壁側支柱１２との間隔に相当する分の長さだけ、内壁側上枠１３ａ又は内壁側下枠１４ａより長いものとなっている。具体的には、内壁側上枠１３ａ及び内壁側下枠１４ａの長さはたとえば、壁用埋設基本型枠１０と同様に９１０ｍｍであり、内壁側支柱１１と外壁側支柱１２との間隔が２００ｍｍあるとすると、外壁側上枠１３ｂ及び外壁側下枠１４ｂの長さは、組み合わされる壁用埋設型枠の支柱の大さ分を加えてたとえば１１３５ｍｍとすることができる。
【０１１２】
また、複数の外壁側支柱１２に沿って配される堰板１６は、外壁側上枠１３ｂ及び外壁側下粋１４ｂの大きさに伴って、その幅方向の長さが大きいものとなっている。具体的には、たとえば高さ２７００ｍｍ、幅１１３５ｍｍ、厚さ０．４ｍｍの大きさとすることができる。
【０１１３】
このように本実施の形態による第一の壁用埋設改良型枠２０は、壁用埋設基本型枠１０と同様に、予め工場等で組み立てた鋼製型枠とするものであって、形状及び寸法は、高さ２７００ｍｍ×内壁側の幅９１０ｍｍ、及び外壁側の幅１１３５ｍｍ×厚さ２５０ｍｍをした縦長矩形の枠体となっている。
【０１１４】
第一の壁用埋設改良型枠２０において、外壁側上枠１３ｂ及び外壁側下枠１４ｂは、たとえば、その長さが、長さ方向の一端側にだけ長くなっているもの(以下、「タイプＡ」という)、とすることができる。図１６において、第一の壁用埋設改良型枠２０として、外壁側上枠１３ｂ(及び外壁側下粋１４ｂ)の長さが、長さ方向の一端側だけ内壁側上枠１３ａ(及び内壁側下枠１４ａ)より長いものとなっているタイプＡの第一の壁用埋設改良型枠２０Ａが示されている。
【０１１５】
また、外壁側上枠１３ｂ及び外壁側下枠１４ｂは、その長さが、長さ方向の一端側だけに長くなっているタイプＡに限らず、長さ方向の一端側及び他端側の双方に長くなっているもの(以下、「タイプＢ」という)としても良い。図１７において、第一の壁用埋設改良型枠２０として、外壁側上枠１３ｂ(及び外壁側下枠１４ｂ)の長さが、長さ方向の一端側及び他端側の双方に均等に長いものとなっているタイプＢの第一の壁用理設改良型枠２０Ｂが示されている。
【０１１６】
このような第二の壁用埋設改良型枠２０（２０Ａ，２０Ｂ）は、壁用埋設基本型枠１０と同様に、施工現場に搬入した後、設計に合わせて並べて互いに連結することにより組み立て、一方の堰板１５と他方の堰板１６との間の空間内にコンクリートを打設してコンクリート構造物における壁を建築することができる。
【０１１７】
具体的に、たとえばコンクリート構造物の角部において、本発明に係るタイプＡの第一の壁用埋設改良型枠２０Ａを二つ用い、図１８（Ａ）（Ｂ）（図１８（Ａ）は平面図、図１８（Ｂ）は平断面図を示す）に示したように、この第一の壁用埋設改良型枠２０Ａにおける短い内壁側上枠１３ａ(及び内壁側下枠１４ａ)同士、及び長い外壁側上枠１３ｂ(及び外壁側下枠１４ｂ)同士をそれぞれ突き合わせ、同時に、それぞれの埋設改良型枠２０Ａの最外殻をなす縦桟材が互いに横に接して林立した状態になり、これら隣立した縦桟材同士をたとえば上述した緊結具等にて緊結すれば、二つの第一の壁用埋設改良型枠２０Ａ，２０ＡがＬ字状に交わって、直接かつ容易に、剛接合することができるものとなる。この隣立した縦桟材同士を緊結することで剛接合するについては、内壁側、外壁側共通である。これにより、内外壁において、（コンクリート打設前の）仮設体での剛構造物を実現することができる。
【０１１８】
この際、第一の壁用埋設改良型枠２０Ａ同士の接合は、たとえば、一方の第一の壁用埋設改良型枠２０Ａにおける内壁側支柱１１又は外壁側支柱１２と、他方の第一の壁用埋設改良型枠２０Ａにおける内壁側支柱１１又は外壁側支柱１２とを、ボルトを用いて緊締したり、セパレータ１７にたとえば針金(番線)を掛けて締め付けたりすることで行うことができる。なお、図１８において、セパレータ１７は細径にて表記しているが、実際には太径のものであってもよい。
【０１１９】
そして、図１８において白抜き矢印で示すように、第一の壁用埋設改良型枠２０Ａの内部へコンクリートＣを打設し、さらにコンクリートＣを硬化させる。
【０１２０】
一方、コンクリート構造物の間仕切り端部においては、本発明に係るタイプＢの第一の壁用埋設改良型枠２０Ｂを二つと、壁用埋設基本型枠１０を一つ用い、図１９に示すように、この第一の壁用埋設改良型枠２０Ｂにおける長い外壁側上枠１３ｂ（及び外壁側下枠１４ｂ）同士を、直列に突き合わせ、同時に、それぞれの埋設改良型枠２０Ｂの最外殻をなす縦桟材が互いに横に接して林立した状態になり、これら隣立した縦桟材同士をたとえば上述した緊結具等にて緊結する。また、壁用埋設基本型枠１０の内壁側上枠１３ａ（及び内壁側下枠１４ａ）と、一方の第１の壁用埋設改良型枠２０Ｂにおける短い内壁側上枠１３ａ（及び内壁側下枠１４ａ）とを突き合わせ、同時に、それぞれの埋設改良型枠２０Ｂの最外殻をなす縦桟材が互いに横に接して林立した状態になり、これら隣立した縦桟材同士をたとえば上述した緊結具等にて緊結する。さらに、壁用埋設基本型枠１０の外壁側上枠１３ｂ(及び外壁側下枠１４ｂ)と、他方の第一の壁用埋設改良型枠２０Ｂにおける短い内壁側上枠１３ａ（及び内壁側下枠１４ａ）とを突き合わせ、同時に、それぞれの埋設改良型枠２０Ｂの最外殻をなす縦桟材が互いに横に接して林立した状態になり、これら隣立した縦桟材同士をたとえば上述した緊結具等にて緊結する。そうすると、二つの第一の壁用埋設改良型枠２０Ｂ，２０Ｂに対して壁用埋設基本型枠１０がＴ字状に交わって、直接かつ容易に、剛接合することができるものとなる。この隣立した縦桟材同士を緊結することで剛接合するについては、内壁側、外壁側共通である。これにより、内外壁において、（コンクリート打設前の）仮設体での剛構造物を実現することができる。
【０１２１】
そして、図１９（Ａ）（Ｂ）（図１９（Ａ）は平面図、図１９（Ｂ）は平断面図を示す）において自抜き矢印で示すように、第一の壁用埋設改良型枠２０Ｂ及び壁用埋設基本型枠１０の内部ヘコンクリートＣを打設し、さらに、コンクリートＣを硬化させる。なお、図１９において、セパレータ１７は細径にて表記しているが、実際には太径のものであってもよい。
【０１２２】
次に、本実施形態における第二の壁用埋設改良型枠について説明する。第二の壁用埋設改良型枠は、コンクリート構造物の上下階接合部の構築において、床版用埋設型枠と組み合わせて用いるものであつて、上述した壁用埋設基本型枠１０の構成を基本として備える。ゆえに、この第二の壁用埋設改良型枠もまた、上述した壁用埋設基本型枠１０と異なる部分を中心に説明し、壁用埋設基本型枠１０と同様の構成部分は同じ符号を付してその説明は省略すると共に、特に説明しない限り同様であるものとする。
【０１２３】
図２０乃至図２１に示すように、この第二の壁用埋設改良型枠３０は、コンクリート構造物において壁を構成する一面側に配される複数の内壁側支柱１１・・１１と、同壁を構成する他面側に配される複数の外壁側支柱１２・・１２と、一対の堰板１５，１６と、複数のセパレータ１７・・１７と、内壁側支柱１１の上端に配される内壁側上枠１３ａ及び内壁側支柱１１の下端に配される内壁側下枠１４ａと、外壁側支柱１２の上端に配される外壁側上枠１３ｂ及び外壁側支柱１２の下端に配される外壁側下枠１４ｂと、を少なくとも備えることにより構成される。
【０１２４】
外壁側支柱１２は、たとえば、その長さが、組み合わせて使用される床版用埋設型枠の厚さに相当する分だけ、内壁側支柱１１より長いものとなっている。具体的には、内壁側支柱１１の長さが、壁用埋設基本型枠１０と同様に２６５０ｍｍであり、床版用埋設型枠の厚さが１８５ｍｍあるとすると、外壁側支柱１２の長さは、少なくとも２８３５ｍｍをしたものとすることができる。なお、床版用埋設型枠の厚さとは、床版用埋設型枠の実際の厚さではなく、床版用埋設型枠の上面にコンクリートを打設して構築される床の厚さをいう。
【０１２５】
また、複数の外壁側支柱１２に沿って配される外側堰板１６は、外壁側支柱１２の大きさに伴って、その長さが、組み合わされる床版用埋設型枠の厚さに相当する分だけ、内壁側支柱１１に沿って配される内側堰板１５より長いものとなっている。具体的には、内側堰板１５の長さが、壁用埋設基本型枠１０と同様に２７００ｍｍであり、床版用埋設型枠の厚さが１８５ｍｍであるとすると、外側堰板１６の長さは、組み合わされる外壁側上枠１３ｂ及び外壁側下枠１４ｂの太さ分を加えて少なくとも２８８５ｍｍ、幅１１３５ｍｍ、厚さ０．４ｍｍの大きさをしたものとすることができる。
【０１２６】
このように本実施の形態による第二の壁用埋設改良型枠３０は、壁用埋設基本型枠１０と同様に、予め工場等で組み立てた鋼製型枠とするものであって、形状及び寸法は、内壁側の高さ２６５０ｍｍ、及び外壁側の高さ２８８５ｍｍ×
幅９１０ｍｍ× 厚さ２５０ｍｍをした縦長矩形の枠体となっている。
【０１２７】
第二の壁用埋設改良型枠３０において外壁側支柱１２及び外側堰板１６は、たとえば、その長さが、長さ(高さ)方向の一端側にだけ長くなっているもの(以下、「タイプＡ」という)とすることができる。図２０において、第二の壁用埋設改良型枠３０として、外壁側支柱１２及び外側堰板１６のタイプＡの第二の壁用埋設改良型枠３０Ａが示されている。
【０１２８】
また、外壁側支柱１２及び外側堰板１６は、その長さが、長さ方向の一端側だけに長くなっているタイプＡに限らず、長さ方向の一端側及び他端側の双方に長くなっているもの(以下、「タイプＢ」という)としても良い。
【０１２９】
このような第二の壁用埋設改良型枠３０（３０Ａ，３０Ｂ）もまた、壁用埋設基本型枠１０と同様に、施工現場に搬入した後、設計に合わせて並べ、床版用埋設型枠と互いに連結することにより組み立て、床版用埋設型枠を介して、一方の堰板１５と他方の堰板１６との間の空間内にコンクリートを打設してコンクリート構造物における壁を建築することができる。
【０１３０】
具体的には、たとえば、図２１に示すように、まず、コンクリート構造物の上下階接合部において、本発明に係る第二の壁用埋設改良型枠３０の内壁側支柱１１の所定位置に床版用埋設型枠５００を位置決めするための連結固定具５８を取り付ける。そして、図中において一点鎖線矢印で示すように、連結固定具５８の上に床版用埋設型枠５００を配して第二の壁用埋設改良型枠３０と互いに組み合わせる。この際、連結固定具５８としてはＬ形鋼を用いることができる。
【０１３１】
尚、第一及び第二の壁用埋設改良型枠２０，３０の構造を組み合わせたものとしても良い。以上のように本発明の一実施形態における壁用埋設改良型枠２０，３０は、（特に、桟材１１、１２について中空鋼材たとえばコラム材を用いることで）クレーン等の揚重機を用いることなく人手により施工現場に設置することができるので、道幅の狭い住宅密集地であっても取り扱いがし易く、本造住宅から耐火性の高いコンクリート構造物へ変更して建築することができる。さらには、上述したように、床版用埋設型枠５００と壁用埋設改良型枠との剛接合により、全体として仮設ながら剛構造体を形成するので、木製型枠による鉄筋コンクリート工事の場合のような支保工の設置が不要となるので、工数の短縮、工期の短縮、施工現場の錯綜状況の消滅、施工物の占有面積の低減、を実現することができ、これらは畢竟、工事現場における安全状況の改善を生み、結果的に、安全管理、工程管理等に有益な結果をもたらす。
【０１３２】
また、本発明の一実施形態における壁用埋設改良型枠を用いて構築したコンクリート構造物は、コンクリート構造物の角部や間仕切りの端部、及びコンクリート構造物の上下階接合部においても、上述した理由から、より剛性を発揮できるので、剛構造をより強固なものとすることができる。
【０１３３】
しかも、本発明の一実施形態における壁用埋設改良型枠は、予め工場等で所望の構造まで組み立てておくことができるものなので、熱年労働者の減少や若手労働力の不足という問題を解決する一助となるものである。
【０１３４】
以上、説明したように、本実施形態によれば、一定の厚を有する鋼製プレートの外面に一定の厚さ・太さを備えたたとえば鋼材コラムにて一定ピッチの縦桟もしくは横桟もしくは桟を井桁状に組んでものが配設された鋼製型枠を型枠として使用するので、配筋作業を含む相当の作業工程までたとえば工場もしくはバックヤードにて先行施工をすることができるのみならず、現場搬入後コンクリート打設前に、支保工を、木造型枠の場合に比して大幅に減縮することができる。場合によっては、壁面からの側圧はすべて型枠自体で吸収させることができ、これによって、（壁部の鉄筋コンクリートの場合の）側圧に対向する支保工に係る仮設工事を省くことができる。
【０１３５】
これに加えて、現場工期の縮小・効率化を図れる、狭小地にも最大限対応できる、という独特の効果を奏する。
【０１３６】
また、鋼製の型枠パネルユニットを予め工場で製作し、建設施工現場に搬入することで、道幅の狭い住宅密集地でも利用が可能であって、取り扱いがしやすく、且つ、建設施工現場においてコンクリートの一体性の高いコンクリート構造物とすることができ、支保工／支保梁もなくて済むことから、内外壁面・天面・床面・擁壁等を少ない職人で容易且つ迅速に組み立てることができ、さらに、施工現場において、埋設型枠同士を跨ぐように後から鉄筋の配筋を可能にし、コンクリート構造物の角部や間仕切り端部、上下階境目部の接合において、剛構造をより強固なものとした仮設構造体を用いたコンクリート構造物の建築を可能とし、工期も短縮できる埋設型枠によるプレフォーム工法を提供することができる。
【０１３７】
なお、上記実施形態や各種態様は、本発明の技術思想を体現する可能性の一つを詳述したものであり、本発明はこれらに限定されることなく、拡大、縮小、置換、省略、代替をしたものを含む。たとえば、上記では特に、壁部型枠の下端の納まりについては説明しなかったが、これは各種工法がある中で、どれかに限定されることなくどのようなものでも施工可能なものなら採用できる趣旨であり、たとえば、次に述べる施工方法を採用してもよい。
【０１３８】
具体的には、たとえば図２３に示されるように、外壁側型枠の下端がくる位置にアングル材（たとえばＬ−５０×５０）をその縦棒部分が下方向を向くようにセットしてアンカーボルト締めにて床に固定して設置し、こうして設置されたアングル材の上端に外壁側型枠の最下段の横桟材を載せてたとえば溶接やボルト締めにて固定し（図示しない）、これとセパレータ（同図では、たとえばパイプを断面方向に設け、このパイプ内を挿通するようにパイプ抜きセパレータを設置した態様が示されている）にて結合される内壁側型枠を設置する。内壁側型枠の設置に当たっては、別に第２のアングル材をその縦棒部分が上方向を向くようにセットしてアンカーボルト締めにて床に固定して設置し、こうして設置されたアングル材の縦材に沿わせる位置に内壁側型枠を設置する。予め内壁側型枠が設置されるべき床位置にホールインアンカーを埋設しこのホールインアンカーに係合させて設置されるレベル調整ボルトナットに内壁側型枠の最下段の横桟材を載せて仮設置する。次に、レベル調整ボルトナットのボルトを締め緩めることで、上記設置された外壁側型枠と内壁側型枠とのレベルを合わせたうえで、たとえば溶接やボルト締めにて固定（本設置）する。こうして固定された状態で、たとえば第２のアングル材と内壁側型枠とを溶接にて固定するようにしてもよい。
【産業上の利用可能性】
【０１３９】
上記の次第ゆえ、本発明の各態様は、建設業、不動産業等の産業分野において、大いなる利用可能性を有している。
【符号の説明】
【０１４０】
Ｐ              躯体
４              鉄筋
５              プレフォーム組立構成体（第１及び第２の井桁桟組鋼製型枠）
８Ａ，８Ｂ      横桟
９              連結用鉄筋
１０            壁用埋設型枠
１１            内壁側支柱
１２            外壁側支柱
１１ａ，１１ｂ  一方の平面
１１ｂ，１２ｂ  他方の平面
１３ａ          内壁側上枠
１４ａ          内壁側下枠
１５            内側堰板
１６            外側堰板
１７            セパレータ
２０            第一の壁用埋設改良型枠
２１            フランジ
２２            棒ネジ
２３            スペーサ部材
２４            クランプ部材（係止具）
２５ａ          鋼製取っ手
２５ｂ，２５ｃ  鋼棒
２５ｄ          差し込み鋼棒
２６            横孔
３０            第二の壁用埋設改良型枠
５０            スラブ型枠用パネル
５１            下弦材
５３            トーラス型(ラチス筋)の斜材
５２            上弦材
５５            堰板
５７            ボルト
５８            連結固定具
１００          壁用埋設枠蓋付型枠
１１０          枠蓋（取り外し可能スパン）
１１１，ｌ２１  第一の開口
１１２，１２２  第二の開口
１５１，１６１  セパ孔
１７１          締結部材
５００          床版用埋設型枠
【図１】
2022000564.tif 000003
【図２】
2022000564.tif 000004
【図３】
2022000564.tif 000005
【図４】
2022000564.tif 000006
【図５】
2022000564.tif 000007
【図６】
2022000564.tif 000008
【図７】
2022000564.tif 000009
【図８】
2022000564.tif 000010
【図９】
2022000564.tif 000011
【図１０】
2022000564.tif 000012
【図１１】
2022000564.tif 000013
【図１２】
2022000564.tif 000014
【図１３】
2022000564.tif 000015
【図１４】
2022000564.tif 000016
【図１５】
2022000564.tif 000017
【図１６】
2022000564.tif 000018
【図１７】
2022000564.tif 000019
【図１８】
2022000564.tif 000020
【図１９】
2022000564.tif 000021
【図２０】
2022000564.tif 000022
【図２１】
2022000564.tif 000023
【図２２】
2022000564.tif 000024
【図２３】
2022000564.tif 000025
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
一定厚を有する鋼板の一面側の四周に金属製中空棒状材からなる縦方向枠材及び横方向枠材を取り付け前記四周内の縦方向に略内接するように金属製中空棒状材からなる縦桟材を複数互いに離隔するように略並行に取り付けて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成し、前記複数の短冊状区画のそれぞれの横方向に略内接するように金属製中空棒状材からなる横桟材を必要に応じて単数もしくは複数取り付けることで、四周の端部に配設された前記金属製中空棒状材と前記鋼板とが略一体化された支保材組込型枠構造体を形成する短冊内分割区画が単数もしくは複数構成されるようにする第１のステップと、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成されたものである脱着可能支保材組込型枠構造体として形成する第２のステップと、
前記第１のステップにおいて構成された前記支保材組込型枠構造体もしくは前記第２のステップにおいて構成された前記脱着可能支保材組込型枠構造体の前記一面側と対向する他面側において鉄筋を配筋し前記支保材組込型枠構造体と組付けることで配筋組付済支保材組込型枠構造体を形成する第３のステップと
を具備することを特徴とする鉄筋コンクリート構造物のコンクリート打設前段階工事の施工方法。
【請求項２】
施工現場に搬入された複数の前記配筋組付済支保材組込型枠構造体及び／もしくは複数の前記支保材組込型枠構造体をプランに沿って鉄筋コンクリート壁を形成する為の内側壁型枠及び／もしくは外側壁型枠として設置する第４のステップと、
前記設置された第１の前記配筋組付済支保材組込型枠構造体について、前記脱着可能支保材組込型枠構造体を外して得られる開口から、前記第１の前記配筋組付済支保材組込型枠構造体に係る前記配筋された鉄筋と、前記第１の配筋組付済支保材組込型枠構造体と隣接して設置される第２の前記配筋組付済支保材組込型枠構造体に係る前記配筋された鉄筋との間で結束もしくは定着を行い、然る後に前記脱着可能支保材組込型枠構造体を前記開口に再び装着する第５のステップと、
前記設置された内側壁型枠及び外側壁型枠について互いに連接する前記支保材組込型枠構造体同士を結合することでコンクリート打設前仮設構造体を形成するステップであって、前記コンクリート打設前仮設構造体は前記支保材組込型枠構造体同士が角度をもって突合されることで形成される略Ｌ字状隅角部を有する、第６のステップと
をさらに具備することを特徴とする請求項１記載の鉄筋コンクリート構造物のコンクリート打設前段階工事の施工方法。
【請求項３】
前記金属製中空棒状材は角型鋼管であることを特徴とする請求項１もしくは２記載の鉄筋コンクリート構造物のコンクリート打設前段階工事の施工方法。
【請求項４】
前記脱着可能支保材組込型枠構造体を前記開口に再び装着する、もしくは前記互いに連接する前記支保材組込型枠構造体同士を結合するについては、互いに隣接する前記金属製中空棒状材について該金属製中空棒状材の側面に穿設された孔に結合具を貫通させて装着もしくは結合することを特徴とする、請求項２記載の鉄筋コンクリート構造物のコンクリート打設前段階工事の施工方法。
【請求項５】
前記縦方向枠材もしくは前記横方向枠材の正面から螺子機構を有するセパレータを挿通可能なセパレータ穴を複数穿設するセパレータ孔穿設ステップと、
前記支保材組込型枠構造体にセパレータを配設するステップであって、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設ししかる後に前記螺子機構にて前記縦方向枠材もしくは前記横方向枠材に前記セパレータが固定される、セパレータ配設ステップと
をさらに具備することを特徴とする請求項２記載の鉄筋コンクリート構造物のコンクリート打設前段階工事の施工方法。
【請求項６】
前記鋼板及び前記縦桟材並びに前記横桟材による剛性、前記支保材組込型枠構造体の持つ壁体の付いたラーメン構造としての性質、隣接する前記支保材組込型枠構造体同士が連結される前記結合具の剪断力、前記コンクリート打設前仮設構造体の持つ壁体の付いたラーメン構造としての性質、前記略Ｌ字状隅角部が持つ立体的剛性、の組合せによって、コンクリート打設時の側圧に対抗できるように構成されることを特徴とする請求項４記載の鉄筋コンクリート構造物のコンクリート打設前段階工事の施工方法。
【請求項７】
前記内側壁型枠及び／もしくは前記外側壁型枠として設置された複数の前記配筋組付済支保材組込型枠構造体及び／もしくは複数の前記支保材組込型枠構造体の一部はコンクリート打設の後も該コンクリート中に埋め込まれることを特徴とする請求項２記載の鉄筋コンクリート構造物のコンクリート打設前段階工事の施工方法。
【請求項８】
前記内側壁型枠及び／もしくは前記外側壁型枠として設置された複数の前記配筋組付済支保材組込型枠構造体及び／もしくは複数の前記支保材組込型枠構造体の一部に対して外壁仕上げ材を取り付けるステップをさらに具備することを特徴とする請求項２記載の鉄筋コンクリート構造物のコンクリート打設前段階工事の施工方法。
【請求項９】
前記脱着可能支保材組込型枠構造体は、該脱着可能支保材組込型枠構造体を構成する前記鋼板が前記脱着可能支保材組込型枠構造体を形成しない前記鋼板から別体とされ、前記特定の前記短冊状区画もしくは前記特定の短冊内分割区画を構成する前記枠内四周の第１の前記金属製中空棒状材の内側に別の第２の金属製中空棒状材が略内接して内側四周が形成され、互いに隣接する前記第１の金属製中空棒状材と前記第２の金属製中空棒状材とが複数個所結合具にて緊結される構造を有することを特徴とする請求項１〜８のうちいずれか１項記載の鉄筋コンクリート構造物のコンクリート打設前段階工事の施工方法。
【請求項１０】
前記配筋組付済支保材組込型枠構造体及び／もしくは前記支保材組込型枠構造体をスラブ型枠として形成する床板第１のステップと、
第１の前記スラブ型枠と前記第１のスラブ型枠に隣接する第２の前記スラブ型枠とを連接し、前記スラブ型枠のうち前記内側壁型枠及び／もしくは前記外側壁型枠と係合する箇所について前記スラブ型枠と前記内側壁型枠及び／もしくは前記外側壁型枠及び／もしくは前記略Ｌ字状隅角部とを連結して全体ラーメン仮設構造体を形成する床板第２のステップと、
前記スラブ型枠に配設される鉄筋と前記内側壁型枠及び／もしくは前記外側壁型枠に配設される鉄筋との間で定着もしくは連接をとる床板第３のステップと
をさらに具備することを特徴とする請求項２記載の鉄筋コンクリート構造物のコンクリート打設前段階工事の施工方法。
【請求項１１】
前記スラブ型枠に連接され複数段を構成する鋼板を有する階段型枠を形成する階段第１のステップと、
前記階段型枠と前記スラブ型枠とを連結し、必要に応じて前記階段型枠と前記内側壁型枠及び／もしくは前記外側壁型枠及び／もしくは前記略Ｌ字状隅角部とを連結する階段第２のステップと、
前記階段型枠の上側に鉄筋を配筋し、前記内側壁型枠及び／もしくは前記外側壁型枠及び／もしくは前記略Ｌ字状隅角部及び／もしくは前記スラブ型枠に配設される鉄筋との間で定着もしくは連接をとる階段第３のステップと
をさらに具備することを特徴とする請求項１０記載の鉄筋コンクリート構造物のコンクリート打設前段階工事の施工方法。
【請求項１２】
前記縦方向枠材、横方向枠材、前記縦桟材、前記横桟材のうち少なくともいずれかは前記鋼板の前記一面に溶接されて取り付けられることを特徴とする請求項１〜１１のうちいずれか１項記載の鉄筋コンクリート構造物のコンクリート打設前段階工事の施工方法。
【請求項１３】
前記鉄筋と前記セパレータとが仮結合され、及び／もしくは、前記鉄筋と前記セパレータとが互いに溶接され、或いは第１の前記セパレータと第２の前記セパレータとが互いを介在する部材に溶接されることを特徴とする請求項５記載の鉄筋コンクリート構造物のコンクリート打設前段階工事の施工方法。
【請求項１４】
請求項２記載の鉄筋コンクリート構造物のコンクリート打設前段階工事の施工方法によって得られた前記コンクリート打設前仮設構造体に対して、コンクリートを打設するステップをさらに有することを特徴とする鉄筋コンクリート構造物の施工方法。
【請求項１５】
一定厚を有する鋼板の一面側に、四周の端部に金属製中空棒状材からなる縦方向枠材及び横方向枠材を有し、前記四周内の縦方向に略内接するように金属製中空棒状材からなる縦桟材が複数互いに離隔するように略並行に取り付けられて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成され、前記複数の短冊状区画のそれぞれの横方向に略内接するように金属製中空棒状材からなる横桟材が必要に応じて単数もしくは複数取り付けられることで単数もしくは複数の短冊内分割区画が構成され、前記短冊内分割区画の四周の端部に配設された前記金属製中空棒状材と前記鋼板とが略一体化された支保材組込型枠構造体と、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成された脱着可能支保材組込型枠構造体と
を具備することを特徴とする鉄筋コンクリート打設用型枠。
【請求項１６】
前記鋼板及び前記縦桟材並びに前記横桟材による剛性、前記支保材組込型枠構造体の持つ壁体の付いたラーメン構造もしくは実質的箱型剛構造としての性質、のうちの少なくともいずれかがコンクリート打設時の側圧の一部に対抗できるように構成されることを特徴とする請求項１５記載の鉄筋コンクリート打設用型枠。
【請求項１７】
前記金属製中空棒状材は角型鋼管であることを特徴とする請求項１５もしくは１６記載の鉄筋コンクリート打設用型枠。
【請求項１８】
前記縦方向枠材もしくは前記横方向枠材の正面にセパレータを挿通可能なセパレータ穴が複数穿設され、
前記支保材組込型枠構造体はプランに沿って鉄筋コンクリート壁を形成する為の内側壁型枠及び／もしくは外側壁型枠として使用されるものであり、
前記セパレータは螺子機構付セパレータであり、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設された後では前記螺子機構にて前記縦方向枠材もしくは前記横方向枠材に前記セパレータが固定されることが可能であることを特徴とする請求項１５〜１７のうちいずれか１項記載の鉄筋コンクリート打設用型枠。
【請求項１９】
前記脱着可能支保材組込型枠構造体は、前記特定の前記短冊状区画を構成する前記枠内四周の第１の前記金属製中空棒状材の内側に略内接して取り付けられる第２の金属製中空棒状材を備え、互いに隣接する前記第１の金属製中空棒状材と前記第２の金属製中空棒状材とが複数個所緊結具にて緊結される構造を有することを特徴とする請求項１５〜１８のうちいずれか１項記載の鉄筋コンクリート打設用型枠。
【手続補正２】
【補正対象書類名】明細書
【補正対象項目名】００７８
【補正方法】変更
【補正の内容】
【００７８】
もしくは、測定対象の建物内の各部屋の測定結果について、当該建物の所有者が管理する外部通知装置３００の操作によって、図８のように測定位置を把握できるように表示することもできる。この図においては、書庫、音響測定室、測定実験室、休憩室等での測定場所と、有害ガスが発生していない測定場所と、有害ガスが発生した測定場所とを、建物内部の見取り図内に異なるアイコンで表示することにより、測定場所と、有害ガスが発生していない測定場所と、有害ガスが発生した測定場所とを一目で認識できるようすることができる。なお、表示された測定場所を示すアイコンを選択することにより、その測定場所の測定結果の数値やグラフを表示できるようにしてもよい。
【手続補正書】
【提出日】令和3年1月31日(2021.1.31)
【手続補正１】
【補正対象書類名】特許請求の範囲
【補正対象項目名】全文
【補正方法】変更
【補正の内容】
【特許請求の範囲】
【請求項１】
一定厚を有する鋼板の一面側の四周に金属製中空棒状材からなる縦方向枠材及び横方向枠材を取り付け前記四周内の前記横方向枠材に略内接し、縦方向に延在するように金属製中空棒状材からなる縦桟材を複数互いに離隔するように略並行に取り付けて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成し、前記複数の短冊状区画のそれぞれの前記縦方向枠材もしくは前記縦桟材に略内接し、横方向に延在するように金属製中空棒状材からなる横桟材を単数もしくは複数必要に応じて取り付けることで、四周の端部に配設された前記金属製中空棒状材と前記鋼板とが略一体化された支保材組込型枠構造体を形成する短冊内分割区画が単数もしくは複数構成されるようにする第１のステップと、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成されたものである脱着可能支保材組込型枠構造体として形成する第２のステップと、
前記第１のステップにおいて構成された前記支保材組込型枠構造体もしくは前記第２のステップにおいて構成された前記脱着可能支保材組込型枠構造体の前記一面側と対向する他面側において鉄筋を配筋し前記支保材組込型枠構造体もしくは前記脱着可能支保材組込型枠構造体と前記配筋された鉄筋とを組付けることで配筋組付済支保材組込型枠構造体を形成する第３のステップと
を具備することを特徴とする鉄筋コンクリート構造物のコンクリート打設前段階工事の施工方法。
【請求項２】
施工現場に搬入された複数の前記配筋組付済支保材組込型枠構造体及び／もしくは複数の前記支保材組込型枠構造体をプランに沿って鉄筋コンクリート壁を形成する為の内側壁型枠及び／もしくは外側壁型枠として設置する第４のステップと、
前記設置された第１の前記配筋組付済支保材組込型枠構造体について、前記脱着可能支保材組込型枠構造体を外して得られる開口から、前記第１の前記配筋組付済支保材組込型枠構造体に係る前記配筋された鉄筋と、前記第１の配筋組付済支保材組込型枠構造体と隣接して設置される第２の前記配筋組付済支保材組込型枠構造体に係る前記配筋された鉄筋との間で結束もしくは定着を行い、然る後に前記脱着可能支保材組込型枠構造体を前記開口に再び装着する第５のステップと、
前記設置された内側壁型枠及び外側壁型枠について互いに連接する前記支保材組込型枠構造体同士を結合することでコンクリート打設前仮設構造体を形成するステップであって、前記コンクリート打設前仮設構造体は前記支保材組込型枠構造体同士が角度をもって突合されることで形成される略Ｌ字状隅角部を有する、第６のステップと
をさらに具備することを特徴とする請求項１記載の鉄筋コンクリート構造物のコンクリート打設前段階工事の施工方法。
【請求項３】
前記金属製中空棒状材は角型鋼管であることを特徴とする請求項１もしくは２記載の鉄筋コンクリート構造物のコンクリート打設前段階工事の施工方法。
【請求項４】
前記脱着可能支保材組込型枠構造体を前記開口に再び装着する、もしくは前記互いに連接する前記支保材組込型枠構造体同士を結合するについては、互いに隣接する前記金属製中空棒状材について該金属製中空棒状材の側面に穿設された孔に結合具を貫通させて装着もしくは結合することを特徴とする、請求項２記載の鉄筋コンクリート構造物のコンクリート打設前段階工事の施工方法。
【請求項５】
前記縦方向枠材もしくは前記横方向枠材の正面から螺子機構を有するセパレータを挿通可能なセパレータ穴を複数穿設するセパレータ孔穿設ステップと、
前記支保材組込型枠構造体にセパレータを配設するステップであって、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設ししかる後に前記螺子機構にて前記縦方向枠材もしくは前記横方向枠材に前記セパレータが固定される、セパレータ配設ステップと
をさらに具備することを特徴とする請求項２記載の鉄筋コンクリート構造物のコンクリート打設前段階工事の施工方法。
【請求項６】
前記鋼板及び前記縦桟材並びに前記横桟材による剛性、前記支保材組込型枠構造体の持つ壁体の付いたラーメン構造としての性質、隣接する前記支保材組込型枠構造体同士が連結される前記結合具の剪断力、前記コンクリート打設前仮設構造体の持つ壁体の付いたラーメン構造としての性質、前記略Ｌ字状隅角部が持つ立体的剛性、の組合せによって、コンクリート打設時の側圧に対抗できるように構成されることを特徴とする請求項４記載の鉄筋コンクリート構造物のコンクリート打設前段階工事の施工方法。
【請求項７】
前記内側壁型枠及び／もしくは前記外側壁型枠として設置された複数の前記配筋組付済支保材組込型枠構造体及び／もしくは複数の前記支保材組込型枠構造体の一部はコンクリート打設の後も該コンクリート中に埋め込まれることを特徴とする請求項２記載の鉄筋コンクリート構造物のコンクリート打設前段階工事の施工方法。
【請求項８】
前記内側壁型枠及び／もしくは前記外側壁型枠として設置された複数の前記配筋組付済支保材組込型枠構造体及び／もしくは複数の前記支保材組込型枠構造体の一部に対して外壁仕上げ材を取り付けるステップをさらに具備することを特徴とする請求項２記載の鉄筋コンクリート構造物のコンクリート打設前段階工事の施工方法。
【請求項９】
前記脱着可能支保材組込型枠構造体は、該脱着可能支保材組込型枠構造体を構成する前記鋼板が前記脱着可能支保材組込型枠構造体を形成しない前記鋼板から別体とされ、前記特定の前記短冊状区画もしくは前記特定の短冊内分割区画を構成する前記枠内四周の第１の前記金属製中空棒状材の内側に別の第２の金属製中空棒状材が略内接して内側四周が形成され、互いに隣接する前記第１の金属製中空棒状材と前記第２の金属製中空棒状材とが複数個所結合具にて緊結される構造を有することを特徴とする請求項１〜８のうちいずれか１項記載の鉄筋コンクリート構造物のコンクリート打設前段階工事の施工方法。
【請求項１０】
前記配筋組付済支保材組込型枠構造体及び／もしくは前記支保材組込型枠構造体をスラブ型枠として形成する床板第１のステップと、
第１の前記スラブ型枠と前記第１のスラブ型枠に隣接する第２の前記スラブ型枠とを連接し、前記スラブ型枠のうち前記内側壁型枠及び／もしくは前記外側壁型枠と係合する箇所について前記スラブ型枠と前記内側壁型枠及び／もしくは前記外側壁型枠及び／もしくは前記略Ｌ字状隅角部とを連結して全体ラーメン仮設構造体を形成する床板第２のステップと、
前記スラブ型枠に配設される鉄筋と前記内側壁型枠及び／もしくは前記外側壁型枠に配設される鉄筋との間で定着もしくは連接をとる床板第３のステップと
をさらに具備することを特徴とする請求項２記載の鉄筋コンクリート構造物のコンクリート打設前段階工事の施工方法。
【請求項１１】
前記スラブ型枠に連接され複数段を構成する鋼板を有する階段型枠を形成する階段第１のステップと、
前記階段型枠と前記スラブ型枠とを連結し、必要に応じて前記階段型枠と前記内側壁型枠及び／もしくは前記外側壁型枠及び／もしくは前記略Ｌ字状隅角部とを連結する階段第２のステップと、
前記階段型枠の上側に鉄筋を配筋し、前記内側壁型枠及び／もしくは前記外側壁型枠及び／もしくは前記略Ｌ字状隅角部及び／もしくは前記スラブ型枠に配設される鉄筋との間で定着もしくは連接をとる階段第３のステップと
をさらに具備することを特徴とする請求項１０記載の鉄筋コンクリート構造物のコンクリート打設前段階工事の施工方法。
【請求項１２】
前記縦方向枠材、横方向枠材、前記縦桟材、前記横桟材のうち少なくともいずれかは前記鋼板の前記一面に溶接されて取り付けられることを特徴とする請求項１〜１１のうちいずれか１項記載の鉄筋コンクリート構造物のコンクリート打設前段階工事の施工方法。
【請求項１３】
前記鉄筋と前記セパレータとが仮結合され、及び／もしくは、前記鉄筋と前記セパレータとが互いに溶接され、或いは第１の前記セパレータと第２の前記セパレータとが互いを介在する部材に溶接されることを特徴とする請求項５記載の鉄筋コンクリート構造物のコンクリート打設前段階工事の施工方法。
【請求項１４】
請求項２記載の鉄筋コンクリート構造物のコンクリート打設前段階工事の施工方法によって得られた前記コンクリート打設前仮設構造体に対して、コンクリートを打設するステップをさらに有することを特徴とする鉄筋コンクリート構造物の施工方法。
【請求項１５】
一定厚を有する鋼板の一面側に、四周の端部に金属製中空棒状材からなる縦方向枠材及び横方向枠材を有し、前記四周内の前記横方向枠材に略内接し、縦方向に延在するように金属製中空棒状材からなる縦桟材が複数互いに離隔するように略並行に取り付けられて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成され、前記複数の短冊状区画のそれぞれの前記縦方向枠材もしくは前記縦桟材に略内接し、横方向に延在するように金属製中空棒状材からなる横桟材が単数もしくは複数取り付けられることで単数もしくは複数の短冊内分割区画が構成され、前記短冊内分割区画の四周の端部に配設された前記金属製中空棒状材と前記鋼板とが略一体化された支保材組込型枠構造体と、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成された脱着可能支保材組込型枠構造体と
を具備することを特徴とする鉄筋コンクリート打設用型枠。
【請求項１６】
前記鋼板及び前記縦桟材並びに前記横桟材による剛性、前記支保材組込型枠構造体の持つ壁体の付いたラーメン構造もしくは実質的箱型剛構造としての性質、のうちの少なくともいずれかがコンクリート打設時の側圧の一部に対抗できるように構成されることを特徴とする請求項１５記載の鉄筋コンクリート打設用型枠。
【請求項１７】
前記金属製中空棒状材は角型鋼管であることを特徴とする請求項１５もしくは１６記載の鉄筋コンクリート打設用型枠。
【請求項１８】
前記縦方向枠材もしくは前記横方向枠材の正面にセパレータを挿通可能なセパレータ穴が複数穿設され、
前記支保材組込型枠構造体はプランに沿って鉄筋コンクリート壁を形成する為の内側壁型枠及び／もしくは外側壁型枠として使用されるものであり、
前記セパレータは螺子機構付セパレータであり、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設された後では前記螺子機構にて前記縦方向枠材もしくは前記横方向枠材に前記セパレータが固定されることが可能であることを特徴とする請求項１５〜１７のうちいずれか１項記載の鉄筋コンクリート打設用型枠。
【請求項１９】
前記脱着可能支保材組込型枠構造体は、前記特定の前記短冊状区画を構成する前記枠内四周の第１の前記金属製中空棒状材の内側に略内接して取り付けられる第２の金属製中空棒状材を備え、互いに隣接する前記第１の金属製中空棒状材と前記第２の金属製中空棒状材とが複数個所緊結具にて緊結される構造を有することを特徴とする請求項１５〜１８のうちいずれか１項記載の鉄筋コンクリート打設用型枠。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
一定厚を有する鋼板の一面側の四周に金属製中空棒状材からなる縦方向枠材及び横方向枠材を取り付け前記四周内の前記横方向枠材に略内接し、縦方向に延在するように金属製中空棒状材からなる縦桟材を複数互いに離隔するように略並行に取り付けて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成し、前記複数の短冊状区画のそれぞれの前記縦方向枠材もしくは前記縦桟材に略内接し、横方向に延在するように金属製中空棒状材からなる横桟材を単数もしくは複数取り付けることで、四周の端部に配設された前記金属製中空棒状材と前記鋼板とが略一体化された支保材組込型枠構造体を形成する短冊内分割区画が単数もしくは複数構成されるようにする第１のステップと、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成されたものである脱着可能支保材組込型枠構造体として形成する第２のステップと、
前記第１のステップにおいて構成された前記支保材組込型枠構造体もしくは前記第２のステップにおいて構成された前記脱着可能支保材組込型枠構造体の前記一面側と対向する他面側において鉄筋を配筋し前記支保材組込型枠構造体もしくは前記脱着可能支保材組込型枠構造体と前記配筋された鉄筋とを組付けることで配筋組付済支保材組込型枠構造体を形成する第３のステップと
を具備することを特徴とする鉄筋コンクリート構造物のコンクリート打設前段階工事の施工方法。
【請求項２】
施工現場に搬入された複数の前記配筋組付済支保材組込型枠構造体及び／もしくは複数の前記支保材組込型枠構造体をプランに沿って鉄筋コンクリート壁を形成する為の内側壁型枠及び／もしくは外側壁型枠として設置する第４のステップと、
前記設置された第１の前記配筋組付済支保材組込型枠構造体について、前記脱着可能支保材組込型枠構造体を外して得られる開口から、前記第１の前記配筋組付済支保材組込型枠構造体に係る前記配筋された鉄筋と、前記第１の配筋組付済支保材組込型枠構造体と隣接して設置される第２の前記配筋組付済支保材組込型枠構造体に係る前記配筋された鉄筋との間で結束もしくは定着を行い、然る後に前記脱着可能支保材組込型枠構造体を前記開口に再び装着する第５のステップと、
前記設置された内側壁型枠及び外側壁型枠について互いに連接する前記支保材組込型枠構造体同士を結合することでコンクリート打設前仮設構造体を形成するステップであって、前記コンクリート打設前仮設構造体は前記支保材組込型枠構造体同士が角度をもって突合されることで形成される略Ｌ字状隅角部を有する、第６のステップと
をさらに具備することを特徴とする請求項１記載の鉄筋コンクリート構造物のコンクリート打設前段階工事の施工方法。
【請求項３】
前記金属製中空棒状材は角型鋼管であることを特徴とする請求項１もしくは２記載の鉄筋コンクリート構造物のコンクリート打設前段階工事の施工方法。
【請求項４】
前記脱着可能支保材組込型枠構造体を前記開口に再び装着する、もしくは前記互いに連接する前記支保材組込型枠構造体同士を結合するについては、互いに隣接する前記金属製中空棒状材について該金属製中空棒状材の側面に穿設された孔に結合具を貫通させて装着もしくは結合することを特徴とする、請求項２記載の鉄筋コンクリート構造物のコンクリート打設前段階工事の施工方法。
【請求項５】
前記縦方向枠材もしくは前記横方向枠材の正面から螺子機構を有するセパレータを挿通可能なセパレータ穴を複数穿設するセパレータ孔穿設ステップと、
前記支保材組込型枠構造体にセパレータを配設するステップであって、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設ししかる後に前記螺子機構にて前記縦方向枠材もしくは前記横方向枠材に前記セパレータが固定される、セパレータ配設ステップと
をさらに具備することを特徴とする請求項２記載の鉄筋コンクリート構造物のコンクリート打設前段階工事の施工方法。
【請求項６】
前記鋼板及び前記縦桟材並びに前記横桟材による剛性、前記支保材組込型枠構造体の持つ壁体の付いたラーメン構造としての性質、隣接する前記支保材組込型枠構造体同士が連結される前記結合具の剪断力、前記コンクリート打設前仮設構造体の持つ壁体の付いたラーメン構造としての性質、前記略Ｌ字状隅角部が持つ立体的剛性、の組合せによって、コンクリート打設時の側圧に対抗できるように構成されることを特徴とする請求項４記載の鉄筋コンクリート構造物のコンクリート打設前段階工事の施工方法。
【請求項７】
前記内側壁型枠及び／もしくは前記外側壁型枠として設置された複数の前記配筋組付済支保材組込型枠構造体及び／もしくは複数の前記支保材組込型枠構造体の一部はコンクリート打設の後も該コンクリート中に埋め込まれることを特徴とする請求項２記載の鉄筋コンクリート構造物のコンクリート打設前段階工事の施工方法。
【請求項８】
前記内側壁型枠及び／もしくは前記外側壁型枠として設置された複数の前記配筋組付済支保材組込型枠構造体及び／もしくは複数の前記支保材組込型枠構造体の一部に対して外壁仕上げ材を取り付けるステップをさらに具備することを特徴とする請求項２記載の鉄筋コンクリート構造物のコンクリート打設前段階工事の施工方法。
【請求項９】
前記脱着可能支保材組込型枠構造体は、該脱着可能支保材組込型枠構造体を構成する前記鋼板が前記脱着可能支保材組込型枠構造体を形成しない前記鋼板から別体とされ、前記特定の前記短冊状区画もしくは前記特定の短冊内分割区画を構成する前記枠内四周の第１の前記金属製中空棒状材の内側に別の第２の金属製中空棒状材が略内接して内側四周が形成され、互いに隣接する前記第１の金属製中空棒状材と前記第２の金属製中空棒状材とが複数個所結合具にて緊結される構造を有することを特徴とする請求項１〜８のうちいずれか１項記載の鉄筋コンクリート構造物のコンクリート打設前段階工事の施工方法。
【請求項１０】
前記配筋組付済支保材組込型枠構造体及び／もしくは前記支保材組込型枠構造体をスラブ型枠として形成する床板第１のステップと、
第１の前記スラブ型枠と前記第１のスラブ型枠に隣接する第２の前記スラブ型枠とを連接し、前記スラブ型枠のうち前記内側壁型枠及び／もしくは前記外側壁型枠と係合する箇所について前記スラブ型枠と前記内側壁型枠及び／もしくは前記外側壁型枠及び／もしくは前記略Ｌ字状隅角部とを連結して全体ラーメン仮設構造体を形成する床板第２のステップと、
前記スラブ型枠に配設される鉄筋と前記内側壁型枠及び／もしくは前記外側壁型枠に配設される鉄筋との間で定着もしくは連接をとる床板第３のステップと
をさらに具備することを特徴とする請求項２記載の鉄筋コンクリート構造物のコンクリート打設前段階工事の施工方法。
【請求項１１】
前記スラブ型枠に連接され複数段を構成する鋼板を有する階段型枠を形成する階段第１のステップと、
前記階段型枠と前記スラブ型枠とを連結し、必要に応じて前記階段型枠と前記内側壁型枠及び／もしくは前記外側壁型枠及び／もしくは前記略Ｌ字状隅角部とを連結する階段第２のステップと、
前記階段型枠の上側に鉄筋を配筋し、前記内側壁型枠及び／もしくは前記外側壁型枠及び／もしくは前記略Ｌ字状隅角部及び／もしくは前記スラブ型枠に配設される鉄筋との間で定着もしくは連接をとる階段第３のステップと
をさらに具備することを特徴とする請求項１０記載の鉄筋コンクリート構造物のコンクリート打設前段階工事の施工方法。
【請求項１２】
前記縦方向枠材、横方向枠材、前記縦桟材、前記横桟材のうち少なくともいずれかは前記鋼板の前記一面に溶接されて取り付けられることを特徴とする請求項１〜１１のうちいずれか１項記載の鉄筋コンクリート構造物のコンクリート打設前段階工事の施工方法。
【請求項１３】
前記鉄筋と前記セパレータとが仮結合され、及び／もしくは、前記鉄筋と前記セパレータとが互いに溶接され、或いは第１の前記セパレータと第２の前記セパレータとが互いを介在する部材に溶接されることを特徴とする請求項５記載の鉄筋コンクリート構造物のコンクリート打設前段階工事の施工方法。
【請求項１４】
請求項２記載の鉄筋コンクリート構造物のコンクリート打設前段階工事の施工方法によって得られた前記コンクリート打設前仮設構造体に対して、コンクリートを打設するステップをさらに有することを特徴とする鉄筋コンクリート構造物の施工方法。
【請求項１５】
一定厚を有する鋼板の一面側に、四周の端部に金属製中空棒状材からなる縦方向枠材及び横方向枠材を有し、前記四周内の前記横方向枠材に略内接し、縦方向に延在するように金属製中空棒状材からなる縦桟材が複数互いに離隔するように略並行に取り付けられて前記縦方向枠材・前記横方向枠材・前記縦桟材・前記横方向枠材もしくは前記縦桟材・前記横方向枠材・前記縦桟材・前記横方向枠材を枠内四周とする短冊状区画を複数含むように形成され、前記複数の短冊状区画のそれぞれの前記縦方向枠材もしくは前記縦桟材に略内接し、横方向に延在するように金属製中空棒状材からなる横桟材が単数もしくは複数取り付けられることで単数もしくは複数の短冊内分割区画が構成され、前記短冊内分割区画の四周の端部に配設された前記金属製中空棒状材と前記鋼板とが略一体化された支保材組込型枠構造体と、
前記支保材組込型枠構造体の内の特定の前記短冊状区画もしくは特定の前記短冊内分割区画に嵌入される大きさいっぱいの四周辺を占める内枠とこの内枠に取り付けられた鋼板とが接合されて構成された脱着可能支保材組込型枠構造体と
を具備することを特徴とする鉄筋コンクリート打設用型枠。
【請求項１６】
前記鋼板及び前記縦桟材並びに前記横桟材による剛性、前記支保材組込型枠構造体の持つ壁体の付いたラーメン構造もしくは実質的箱型剛構造としての性質、のうちの少なくともいずれかがコンクリート打設時の側圧の一部に対抗できるように構成されることを特徴とする請求項１５記載の鉄筋コンクリート打設用型枠。
【請求項１７】
前記金属製中空棒状材は角型鋼管であることを特徴とする請求項１５もしくは１６記載の鉄筋コンクリート打設用型枠。
【請求項１８】
前記縦方向枠材もしくは前記横方向枠材の正面にセパレータを挿通可能なセパレータ穴が複数穿設され、
前記支保材組込型枠構造体はプランに沿って鉄筋コンクリート壁を形成する為の内側壁型枠及び／もしくは外側壁型枠として使用されるものであり、
前記セパレータは螺子機構付セパレータであり、前記縦方向枠材もしくは前記横方向枠材、前記内側壁型枠に係る前記鋼板、前記外側壁型枠に係る前記鋼板、前記縦方向枠材もしくは前記横方向枠材の順で前記セパレータがそれぞれを挿通するように配設された後では前記螺子機構にて前記縦方向枠材もしくは前記横方向枠材に前記セパレータが固定されることが可能であることを特徴とする請求項１５〜１７のうちいずれか１項記載の鉄筋コンクリート打設用型枠。
【請求項１９】
前記脱着可能支保材組込型枠構造体は、前記特定の前記短冊状区画を構成する前記枠内四周の第１の前記金属製中空棒状材の内側に略内接して取り付けられる第２の金属製中空棒状材を備え、互いに隣接する前記第１の金属製中空棒状材と前記第２の金属製中空棒状材とが複数個所緊結具にて緊結される構造を有することを特徴とする請求項１５〜１８のうちいずれか１項記載の鉄筋コンクリート打設用型枠。